(57)【要約】  本出願の実施例は情報伝送方法及び装置を提供する。該方法は、ネットワーク装置がシステム情報のスケジューリング情報を送信することと、該ネットワーク装置が該スケジューリング情報に基づいて該システム情報を送信することとを含む。本発明により、シグナリングオーバーヘッドを節約し、リソース利用率を向上させることができる。
2019525512.tif 000002
【特許請求の範囲】
【請求項１】
情報伝送方法であって、
ネットワーク装置がシステム情報のスケジューリング情報を送信することと、
前記ネットワーク装置が前記スケジューリング情報に基づいて前記システム情報を送信することとを含む、前記情報伝送方法。
【請求項２】
前記ネットワーク装置がシステム情報のスケジューリング情報を送信する前に、前記方法はさらに、
前記ネットワーク装置が第一の指示情報を送信し、前記第一の指示情報が前記ネットワーク装置にサポートされる専用システム情報、及び／又は前記ネットワーク装置にサポートされる共通システム情報を示すことに用いられることを含むことを特徴とする
請求項１に記載の方法。
【請求項３】
前記ネットワーク装置が前記スケジューリング情報に基づいて前記システム情報を送信する前に、前記方法はさらに、
前記ネットワーク装置が第二の指示情報を送信し、前記第二の指示情報がシステム情報の送信方式を示すことに用いられることを含むことを特徴とする
請求項１又は２に記載の方法。
【請求項４】
前記システム情報は専用システム情報及び／又は共通システム情報を含み、前記第二の指示情報は専用システム情報の送信方式がスケジューリング送信方式であることを示すことに用いられ、及び／又は前記第二の指示情報は共通システム情報の送信方式がスケジューリング送信方式又は固定リソース位置に基づく送信方式であることを示すことに用いられることを特徴とする
請求項３に記載の方法。
【請求項５】
前記システム情報は共通システム情報を含み、前記システム情報のスケジューリング情報は、
前記共通システム情報に占有された時間周波数リソース、前記共通システム情報の送信周期、前記共通システム情報の変調符号化方式と前記共通システム情報の送信周期の有効時間のうちの少なくとも一つを含むことを特徴とする
請求項１−４のいずれか一項に記載の方法。
【請求項６】
前記システム情報は専用システム情報を含み、前記システム情報のスケジューリング情報は、
前記専用システム情報の時間周波数リソース情報、前記専用システム情報の変調符号化方式、前記専用システム情報の周期情報、前記専用システム情報の周期の有効時間、前記専用システム情報のモード情報と前記専用システム情報のモードの有効時間のうちの少なくとも一つを含むことを特徴とする
請求項１−５のいずれか一項に記載の方法。
【請求項７】
前記システム情報は専用システム情報を含み、前記ネットワーク装置がシステム情報のスケジューリング情報を送信することは、
前記ネットワーク装置が共通システム情報によって前記専用システム情報のスケジューリング情報を送信することを含むことを特徴とする
請求項１−６のいずれか一項に記載の方法。
【請求項８】
前記システム情報は専用システム情報を含み、前記ネットワーク装置がシステム情報のスケジューリング情報を送信することは、
前記ネットワーク装置が第三の指示情報を送信し、前記第三の指示情報が前記専用システム情報のスケジューリング情報を示すことに用いられることを含むことを特徴とする
請求項１−６のいずれか一項に記載の方法。
【請求項９】
前記システム情報は専用システム情報を含み、前記ネットワーク装置がシステム情報のスケジューリング情報を送信することは、
前記ネットワーク装置が少なくとも一つのスケジューリング情報を送信し、前記少なくとも一つのスケジューリング情報の各スケジューリング情報が少なくとも一つの専用システム情報に対応することを含むことを特徴とする
請求項１−８のいずれか一項に記載の方法。
【請求項１０】
前記ネットワーク装置が前記スケジューリング情報に基づいて前記システム情報を送信する前に、前記方法はさらに、
前記ネットワーク装置が識別情報を送信し、前記識別情報が前記少なくとも一つのスケジューリング情報内の有効なスケジューリング情報を識別することに用いられることを含み、
ここで、前記ネットワーク装置が前記スケジューリング情報に基づいて前記システム情報を送信することは、
前記ネットワーク装置が前記有効なスケジューリング情報に基づいて前記有効なスケジューリング情報に対応する専用システム情報を送信することを含むことを特徴とする
請求項９に記載の方法。
【請求項１１】
前記ネットワーク装置がシステム情報のスケジューリング情報を送信する前に、前記方法はさらに、
前記ネットワーク装置が端末装置から送信されたリクエストメッセージを受信し、前記リクエストメッセージが第一の専用システム情報をリクエストすることに用いられることを含み、
ここで、前記ネットワーク装置がシステム情報のスケジューリング情報を送信することは、
前記ネットワーク装置が前記リクエストメッセージに基づいて前記第一の専用システム情報のスケジューリング情報を送信することを含むことを特徴とする
請求項１−１０のいずれか一項に記載の方法。
【請求項１２】
前記システム情報は専用システム情報を含み、前記ネットワーク装置が前記スケジューリング情報に基づいて前記システム情報を送信することは、
前記ネットワーク装置が前記専用システム情報の送信モードに応じて前記専用システム情報を送信することを含み、前記送信モードが一回送信モード、複数回非周期的送信モード又は周期的送信モードを含むことを特徴とする
請求項１−１１のいずれか一項に記載の方法。
【請求項１３】
前記ネットワーク装置がシステム情報のスケジューリング情報を送信することは、
前記ネットワーク装置が前記システム情報のスケジューリング情報をユニキャスト、マルチキャスト又はブロードキャストで送信することを含むことを特徴とする
請求項１−１２のいずれか一項に記載の方法。
【請求項１４】
前記ネットワーク装置が前記スケジューリング情報に基づいて前記システム情報を送信することは、
前記ネットワーク装置が前記スケジューリング情報に基づいて前記システム情報をユニキャスト、マルチキャスト又はブロードキャストで送信することを含むことを特徴とする
請求項１−１３のいずれか一項に記載の方法。
【請求項１５】
情報伝送方法であって、
端末装置がネットワーク装置から送信されたシステム情報のスケジューリング情報を受信することと、
前記端末装置が前記スケジューリング情報に基づいて前記ネットワーク装置から送信された前記システム情報を受信することとを含む、前記情報伝送方法。
【請求項１６】
前記端末装置がネットワーク装置から送信されたシステム情報のスケジューリング情報を受信する前に、前記方法はさらに、
前記端末装置が前記ネットワーク装置から送信された第一の指示情報を受信し、前記第一の指示情報が前記ネットワーク装置にサポートされる専用システム情報、及び／又は前記ネットワーク装置にサポートされる共通システム情報を示すことに用いられることを含むことを特徴とする
請求項１５に記載の方法。
【請求項１７】
前記端末装置が前記スケジューリング情報に基づいて前記ネットワーク装置から送信された前記システム情報を受信する前に、前記方法はさらに、
前記端末装置がネットワーク装置から送信された第二の指示情報を受信し、前記第二の指示情報がシステム情報の送信方式を示すことに用いられることを含むことを特徴とする
請求項１５又は１６に記載の方法。
【請求項１８】
前記システム情報は専用システム情報及び／又は共通システム情報を含み、前記第二の指示情報は専用システム情報の送信方式がスケジューリング送信方式であることを示すことに用いられ、及び／又は前記第二の指示情報は共通システム情報の送信方式がスケジューリング送信方式又は固定リソース位置に基づく送信方式であることを示すことに用いられることを特徴とする
請求項１５−１７のいずれか一項に記載の方法。
【請求項１９】
前記システム情報は共通システム情報を含み、前記システム情報のスケジューリング情報は、
前記共通システム情報に占有された時間周波数リソース、前記共通システム情報の送信周期、前記共通システム情報の変調符号化方式と前記共通システム情報の送信周期の有効時間のうちの少なくとも一つを含むことを特徴とする
請求項１５−１８のいずれか一項に記載の方法。
【請求項２０】
前記システム情報は専用システム情報を含み、前記システム情報のスケジューリング情報は、
前記専用システム情報の時間周波数リソース情報、前記専用システム情報の変調符号化方式、前記専用システム情報の周期情報、前記専用システム情報の周期の有効時間、前記専用システム情報のモード情報と前記専用システム情報のモードの有効時間のうちの少なくとも一つを含むことを特徴とする
請求項１５−１９のいずれか一項に記載の方法。
【請求項２１】
前記システム情報は専用システム情報を含み、前記端末装置がネットワーク装置から送信されたシステム情報のスケジューリング情報を受信することは、
前記端末装置が、前記ネットワーク装置がシステム情報によって送信した前記専用システム情報のスケジューリング情報を受信することを含むことを特徴とする
請求項１５−２０のいずれか一項に記載の方法。
【請求項２２】
前記システム情報は専用システム情報を含み、前記端末装置がネットワーク装置から送信されたシステム情報のスケジューリング情報を受信することは、
前記端末装置がネットワーク装置から送信された第三の指示情報を受信し、前記第三の指示情報が前記専用システム情報のスケジューリング情報を示すことに用いられることを含むことを特徴とする
請求項１５−２０のいずれか一項に記載の方法。
【請求項２３】
前記システム情報は専用システム情報を含み、前記端末装置がネットワーク装置から送信されたシステム情報のスケジューリング情報を受信することは、
前記端末装置がネットワーク装置から送信された少なくとも一つのスケジューリング情報を受信し、前記少なくとも一つのスケジューリング情報の各スケジューリング情報が少なくとも一つの専用システム情報に対応することを含むことを特徴とする
請求項１５−２２のいずれか一項に記載の方法。
【請求項２４】
前記端末装置が前記ネットワーク装置から送信されたシステム情報を受信する前に、前記方法はさらに、
前記端末装置が前記ネットワーク装置から送信された識別情報を受信し、前記識別情報が前記少なくとも一つのスケジューリング情報内の有効なスケジューリング情報を識別することに用いられることを含み、
ここで、前記端末装置が前記スケジューリング情報に基づいて前記ネットワーク装置から送信された前記システム情報を受信することは、
前記端末装置が前記有効なスケジューリング情報に基づいて前記有効なスケジューリング情報に対応する専用システム情報を受信することを含むことを特徴とする
請求項２３に記載の方法。
【請求項２５】
前記端末装置がネットワーク装置から送信されたシステム情報のスケジューリング情報を受信する前に、前記方法はさらに、
前記端末装置が前記ネットワーク装置へ第一の専用システム情報をリクエストするためのリクエストメッセージを送信することを含み、
ここで、前記端末装置がシステム情報のスケジューリング情報を受信することは、
前記端末装置が、前記ネットワーク装置が前記リクエストメッセージに基づいて送信した前記第一の専用システム情報のスケジューリング情報を受信することを含むことを特徴とする
請求項１５−２４のいずれか一項に記載の方法。
【請求項２６】
情報伝送装置であって、
システム情報のスケジューリング情報を送信するように構成される第一の送信モジュールと、
前記スケジューリング情報に基づいて前記システム情報を送信するように構成される第二の送信モジュールとを備える、前記情報伝送装置。
【請求項２７】
前記第一の送信モジュールはさらに、
前記システム情報のスケジューリング情報を送信する前に、第一の指示情報を送信するように構成され、前記第一の指示情報が前記装置にサポートされる専用システム情報、及び／又は前記装置にサポートされる共通システム情報を示すことに用いられることを特徴とする
請求項２６に記載の装置。
【請求項２８】
前記第一の送信モジュールはさらに、
前記スケジューリング情報に基づいて前記システム情報を送信する前に、第二の指示情報を送信するように構成され、前記第二の指示情報がシステム情報の送信方式を示すことに用いられることを特徴とする
請求項２６又は２７に記載の装置。
【請求項２９】
前記システム情報は専用システム情報及び／又は共通システム情報を含み、前記第二の指示情報は専用システム情報の送信方式がスケジューリング送信方式であることを示すことに用いられ、及び／又は前記第二の指示情報は共通システム情報の送信方式がスケジューリング送信方式又は固定リソース位置に基づく送信方式であることを示すことに用いられることを特徴とする
請求項２８に記載の装置。
【請求項３０】
前記システム情報は共通システム情報を含み、前記システム情報のスケジューリング情報は、
前記共通システム情報に占有された時間周波数リソース、前記共通システム情報の送信周期、前記共通システム情報の変調符号化方式と前記共通システム情報の送信周期の有効時間のうちの少なくとも一つを含むことを特徴とする
請求項２６−２９のいずれか一項に記載の装置。
【請求項３１】
前記システム情報は専用システム情報を含み、前記システム情報のスケジューリング情報は、
前記専用システム情報の時間周波数リソース情報、前記専用システム情報の変調符号化方式、前記専用システム情報の周期情報、前記専用システム情報の周期の有効時間、前記専用システム情報のモード情報と前記専用システム情報のモードの有効時間のうちの少なくとも一つを含むことを特徴とする
請求項２６−３０のいずれか一項に記載の装置。
【請求項３２】
前記システム情報は専用システム情報を含み、前記第一の送信モジュールは具体的に、
共通システム情報によって前記専用システム情報のスケジューリング情報を送信するように構成されることを特徴とする
請求項２６−３１のいずれか一項に記載の装置。
【請求項３３】
前記システム情報は専用システム情報を含み、前記第一の送信モジュールは具体的に共通システム情報によって前記専用システム情報のスケジューリング情報を送信するように構成されることを特徴とする
請求項２６−３２のいずれか一項に記載の装置。
【請求項３４】
前記システム情報は専用システム情報を含み、前記第一の送信モジュールは具体的に、
少なくとも一つのスケジューリング情報を送信するように構成され、前記少なくとも一つのスケジューリング情報の各スケジューリング情報が少なくとも一つの専用システム情報に対応することを特徴とする
請求項２６−３３のいずれか一項に記載の装置。
【請求項３５】
前記第一の送信モジュールはさらに、
前記スケジューリング情報に基づいて前記システム情報を送信する前に、識別情報を送信するように構成され、前記識別情報が前記少なくとも一つのスケジューリング情報内の有効なスケジューリング情報を識別することに用いられ、
前記第二の送信モジュールは具体的に、
前記有効なスケジューリング情報に基づいて前記有効なスケジューリング情報に対応する専用システム情報を送信するように構成されることを特徴とする
請求項３４に記載の装置。
【請求項３６】
前記装置はさらに、
前記システム情報のスケジューリング情報を送信する前に、端末装置から送信された、第一の専用システム情報をリクエストするためのリクエストメッセージを受信するように構成される受信モジュールを備え、
前記第一の送信モジュールは具体的に、
前記リクエストメッセージに基づいて前記第一の専用システム情報のスケジューリング情報を送信するように構成されることを特徴とする
請求項２６−３５のいずれか一項に記載の装置。
【請求項３７】
前記システム情報は専用システム情報を含み、
前記第二の送信モジュールは具体的に、
前記専用システム情報の送信モードに応じて前記専用システム情報を送信するように構成され、前記送信モードが一回送信モード、複数回非周期的送信モード又は周期的送信モードを含むことを特徴とする
請求項２６−３６のいずれか一項に記載の装置。
【請求項３８】
前記第一の送信モジュールは具体的に、
前記システム情報のスケジューリング情報をユニキャスト、マルチキャスト又はブロードキャストで送信するように構成されることを特徴とする
請求項２６−３７のいずれか一項に記載の装置。
【請求項３９】
前記第二の送信モジュールは具体的に、
前記スケジューリング情報に基づいて前記システム情報をユニキャスト、マルチキャスト又はブロードキャストで送信するように構成されることを特徴とする
請求項２６−３８のいずれか一項に記載の装置。
【請求項４０】
情報伝送装置であって、
ネットワーク装置から送信されたシステム情報のスケジューリング情報を受信するように構成される第一の受信モジュールと、
前記スケジューリング情報に基づいて前記ネットワーク装置から送信された前記システム情報を受信するように構成される第二の受信モジュールとを備える、前記情報伝送装置。
【請求項４１】
前記第一の受信モジュールはさらに、
前記ネットワーク装置から送信されたシステム情報のスケジューリング情報を受信する前に、前記ネットワーク装置から送信された第一の指示情報を受信するように構成され、前記第一の指示情報が前記ネットワーク装置にサポートされる専用システム情報、及び／又は前記ネットワーク装置にサポートされる共通システム情報を示すことに用いられることを特徴とする
請求項４０に記載の装置。
【請求項４２】
前記第一の受信モジュールは具体的に、
前記スケジューリング情報に基づいて前記ネットワーク装置から送信された前記システム情報を受信する前に、ネットワーク装置から送信された第二の指示情報を受信するように構成され、前記第二の指示情報がシステム情報の送信方式を示すことに用いられることを特徴とする
請求項４０又は４１に記載の装置。
【請求項４３】
前記システム情報は専用システム情報及び／又は共通システム情報を含み、前記第二の指示情報は専用システム情報の送信方式がスケジューリング送信方式であることを示すことに用いられ、及び／又は前記第二の指示情報は共通システム情報の送信方式がスケジューリング送信方式又は固定リソース位置に基づく送信方式であることを示すことに用いられることを特徴とする
請求項４０−４２のいずれか一項に記載の装置。
【請求項４４】
前記システム情報は共通システム情報を含み、前記システム情報のスケジューリング情報は
前記共通システム情報に占有された時間周波数リソース、前記共通システム情報の送信周期、前記共通システム情報の変調符号化方式と前記共通システム情報の送信周期の有効時間のうちの少なくとも一つを含むことを特徴とする
請求項４０−４３のいずれか一項に記載の装置。
【請求項４５】
前記システム情報は専用システム情報を含み、前記システム情報のスケジューリング情報は
前記専用システム情報の時間周波数リソース情報、前記専用システム情報の変調符号化方式、前記専用システム情報の周期情報、前記専用システム情報の周期の有効時間、前記専用システム情報のモード情報と前記専用システム情報のモードの有効時間のうちの少なくとも一つを含むことを特徴とする
請求項４０−４４のいずれか一項に記載の装置。
【請求項４６】
前記システム情報は専用システム情報を含み、前記第一の受信モジュールは具体的に、
ネットワーク装置がシステム情報によって送信した前記専用システム情報のスケジューリング情報を受信するように構成されることを特徴とする
請求項４０−４５のいずれか一項に記載の装置。
【請求項４７】
前記システム情報は専用システム情報を含み、前記第一の受信モジュールは具体的に、
ネットワーク装置から送信された第三の指示情報を受信するように構成され、前記第三の指示情報が前記専用システム情報のスケジューリング情報を示すことに用いられることを特徴とする
請求項４０−４５のいずれか一項に記載の装置。
【請求項４８】
前記システム情報は専用システム情報を含み、前記第一の受信モジュールは具体的に、
前記ネットワーク装置から送信された少なくとも一つのスケジューリング情報を受信するように構成され、前記少なくとも一つのスケジューリング情報の各スケジューリング情報が少なくとも一つの専用システム情報に対応することを特徴とする
請求項４０−４７のいずれか一項に記載の装置。
【請求項４９】
前記第一の受信モジュールはさらに、
前記ネットワーク装置から送信されたシステム情報を受信する前に、前記ネットワーク装置から送信された識別情報を受信するように構成され、前記識別情報が前記少なくとも一つのスケジューリング情報内の有効なスケジューリング情報を識別することに用いられ、
前記第二の受信モジュールは具体的に、
前記有効なスケジューリング情報に基づいて前記有効なスケジューリング情報に対応する専用システム情報を受信するように構成されることを特徴とする
請求項４８に記載の装置。
【請求項５０】
前記装置はさらに、
前記ネットワーク装置から送信された前記システム情報のスケジューリング情報を受信する前に、前記ネットワーク装置へ第一の専用システム情報をリクエストするためのリクエストメッセージを送信するように構成される送信モジュールを備え、
前記第一の受信モジュールは具体的に前記ネットワーク装置が前記リクエストメッセージに基づいて送信した前記第一の専用システム情報のスケジューリング情報を受信するように構成されることを特徴とする
請求項４０−４９のいずれか一項に記載の装置。
【発明の詳細な説明】
【技術分野】
【０００１】
本出願は通信分野に関し、且つより具体的には、情報伝送方法及び装置に関する。
【背景技術】
【０００２】
長期進化（Ｌｏｎｇ  Ｔｅｒｍ  Ｅｖｏｌｕｔｉｏｎ：「ＬＴＥ」と略称）システムでは、端末装置は、サービングセルとダウンリンク同期メッセージを確立した後、サービングセルがブロードキャストシグナリングで送信したシステム情報を受信することによって、該サービングセルの関連情報を取得し、主なシステム情報が、マスター情報ブロック（Ｍａｓｔｅｒ  Ｉｎｆｏｒｍａｔｉｏｎ  Ｂｌｏｃｋ：「ＭＩＢ」と略称）、システム情報ブロック（Ｓｙｓｔｅｍ  Ｉｎｆｏｒｍａｔｉｏｎ  Ｂｌｏｃｋ：「ＳＩＢ」と略称）１、ＳＩＢ２、ＳＩＢ３、ＳＩＢ４、ＳＩＢ５、ＳＩＢ６、ＳＩＢ７、ＳＩＢ８などを含み、システム情報ブロック毎に異なる情報が含まれ、例えば、ＭＩＢがシステムフレーム番号、ダウンリンクシステム帯域幅、物理ハイブリッド自動再送信インジケータチャネル（Ｐｈｙｓｉｃａｌ  Ｈｙｂｒｉｄ  ＡＲＱ  Ｉｎｄｉｃａｔｏｒ  Ｃｈａｎｎｅｌ：「ＰＨＩＣＨ」と略称）を含み、ＳＩＢ１がセル選択及び滞在に関する関連情報及び他のシステム情報ブロックのスケジューリング情報を含み、ＳＩＢ２がアクセス制限情報、共通チャネルパラメータとマルチキャスト単一周波数ネットワーク（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ：「ＭＢＳＦＮ」と略称）サブフレームのスケジューリング情報などを含む。これらのシステム情報はブロードキャストで、周期的にセル内で送信され、データ接続状態又はアイドル状態にあるかに関わらず、端末はこれらのシステム情報を受信することができ、しかし、実際の応用プロセスにおいて、ネットワーク装置から送信されるシステム情報の一部が端末装置として必要ではない可能性があるにも関わらず、ネットワーク装置は依然として周期的に送信し、このようにしてリソースが深刻な浪費になり、さらにリソース利用率が低い。
【発明の概要】
【発明が解決しようとする課題】
【０００３】
本出願の実施例はリソース利用率を向上させることができる、情報伝送方法及び装置を提供する。
【課題を解決するための手段】
【０００４】
第一の態様による情報伝送方法は、ネットワーク装置がシステム情報のスケジューリング情報を送信することと、該ネットワーク装置が該スケジューリング情報に基づいて該システム情報を送信することとを含む。
【０００５】
本出願の実施例では、ネットワーク装置はスケジューリング情報を送信し、端末装置はスケジューリング情報を受信し、その後ネットワーク装置はスケジューリング情報に基づいてシステム情報を送信し、端末装置はスケジューリング情報に基づいてシステム情報を受信し、このようにして、ネットワーク装置がシステム情報を周期的に送信することを回避し、シグナリングオーバーヘッドが低減でき、リソース利用率を向上させることができる。
【０００６】
選択可能に、システム情報は共通システム情報及び／又は専用システム情報を含む。
【０００７】
又は、システム情報を専用システム情報と共通システム情報に分類することができる。共通システム情報は端末装置が共通に必要とする必須的システム情報であってもよく、例えばＬＴＥネットワークにおいて滞在及びアクセスのための最も基本的なシステム情報、ＭＩＢ、ＳＩＢ１とＳＩＢ２などを含む。該専用システム情報はある端末装置の必要なシステム情報であってもよいし、あるタイプの端末装置の必要なシステム情報であってもよいし、ある特定サービスに必要なシステム情報であってもよく、例えばＬＴＥネットワークにおいて、端末のデバイスツーデバイス（Ｄｅｖｉｃｅ  ｔｏ  Ｄｅｖｉｃｅ：「Ｄ２Ｄ」と略称）サービスに関連するシステム情報ＳＩＢ１８及びＳＩＢ１９などを含み、例えば携帯電話、パーソナルコンピュータ（Ｐｅｒｓｏｎａｌ  Ｃｏｍｐｕｔｅｒ：「ＰＣ」と略称）とモノのインターネットとの専用システム情報が異なってもよく、データサービスと電話サービスとの専用システム情報が異なってもよい。当然、専用システム情報は一つの、１種類の又は１グループのシステム情報であってもよく、本出願の実施例ではシステム情報の分類を限定しない。
【０００８】
第一の態様の第一の可能な実施形態では、該ネットワーク装置がシステム情報のスケジューリング情報を送信する前に、該方法はさらに該ネットワーク装置が第一の指示情報を送信し、該第一の指示情報が該ネットワーク装置にサポートされる専用システム情報、及び／又は該ネットワーク装置にサポートされる共通システム情報を示すことに用いられることを含む。
【０００９】
本出願の実施例では、端末装置はシステム情報を必要とする時に、ネットワーク装置がどのシステム情報タイプをサポートしているかを知らないため、ネットワーク装置がシステム情報のスケジューリング情報を送信する前に第一の指示情報を送信してネットワーク装置にサポートされるタイプを示す必要があり、該送信がユニキャスト、マルチキャスト又はブロードキャストの方式であってもよく、このようにして、端末装置はネットワーク装置にサポートされるシステム情報を取得し、さらにネットワーク装置にサポートされるシステム情報のスケジューリング情報に基づいてシステム情報を受信することができる。
【００１０】
第一の態様の上記の可能な実施形態と組み合わせ、第一の態様の第二の可能な実施形態では、該ネットワーク装置が該スケジューリング情報に基づいて該システム情報をスケジューリングする前に、該方法はさらに、該ネットワーク装置が第二の指示情報を送信し、該第二の指示情報がシステム情報の送信方式を示すことに用いられることを含む。
【００１１】
本出願の実施例では、ネットワーク装置は、システム情報の送信方式、例えば全てのシステム情報がスケジューリングにより送信され、即ち情報をスケジューリングすることにより送信されるのか、又は共通システム情報が固定リソース位置により送信されるのか、専用システム情報がスケジューリングにより送信されるのか、又は一部の専用システム情報が固定リソース位置により送信され、残りの部分の専用システム情報がスケジューリングにより送信されるのか、又は一部の共通システム情報が固定リソース位置に基づいて送信され、残りの部分の共通システム情報がスケジューリングにより送信されるのかなどを端末装置に知らせる必要があり、本出願の実施例はこれに限定されない。
【００１２】
又は、上記の第一の指示情報と該第二の指示情報が一つの指示情報であってもよく、二つの異なる指示情報であってもよく、第一の指示情報と第二の指示情報が同時に送信されてもよく、別々に送信されてもよく、第一の指示情報と第二の指示情報が同時にユニキャスト、ブロードキャスト又はマルチキャストで送信されてもよく、又は第一の指示情報がブロードキャストで送信され、第二の指示情報がマルチキャストで送信され、又は第一の指示情報がユニキャストで送信され、第二の指示情報がマルチキャストで送信されることなどがあり、本出願の実施例はこれに限定されず、繰り返し説明を回避するために、ここで例を一つずつ挙げない。
【００１３】
第一の態様の上記の可能な実施形態と組み合わせ、第一の態様の第三の可能な実施形態では、該システム情報は専用システム情報及び／又は共通システム情報を含み、該第二の指示情報は専用システム情報の送信方式がスケジューリング送信方式であることを示すことに用いられ、及び／又は該第二の指示情報は共通システム情報の送信方式がスケジューリング送信方式又は固定リソース位置に基づく送信方式であることを示すことに用いられる。
【００１４】
本出願の実施例では、第二の指示情報は具体的に専用システム情報の送信方式がスケジューリング送信方式であり、デフォルトの共通システム情報の送信方式が固定リソース位置に基づく送信方式であることを示すことができ、又は第二の指示情報は具体的に共通システム情報の送信方式が固定リソース位置に基づく送信方式であり、デフォルトの専用システム情報の送信方式がスケジューリング送信方式であることを示すことができ、又は第二の指示情報は具体的に共通システム情報の送信方式が固定リソース位置に基づく送信方式であり、専用システム情報の送信方式がスケジューリング送信方式であることを示すことができ、又は第二の指示情報は具体的に共通システム情報の送信方式がスケジューリング送信方式であり、専用システム情報の送信方式もスケジューリング送信方式であることを示すことができる。
【００１５】
又は、第二の指示情報が具体的にどのように送信方式を示すかについては、ネットワークによって端末装置に設定してもよく、ネットワークプロトコルに従って規定されてもよく、本出願の実施例はこれに限定されない。
【００１６】
第一の態様の上記の可能な実施形態と組み合わせ、第一の態様の第四の実施形態では、該システム情報は共通システム情報を含み、該システム情報のスケジューリング情報は該共通システム情報に占有された時間周波数リソース、該共通システム情報の送信周期、該共通システム情報の変調符号化方式と該共通システム情報の送信周期の有効時間のうちの少なくとも一つを含み、当然これらの情報に限定されず、他の情報を含むことができる。
【００１７】
本出願の実施例では、端末装置が既に共通システム情報に占有された時間周波数リソースを取得している場合、システム情報は共通システム情報の送信周期及び／又は共通システム情報の変調符号化方式のみを含んでもよいこと、等々であり、例えば、従来のネットワークと互換性を持たせるために、従来のネットワーク状態において例えば共通システム情報の周期情報と時間周波数リソース情報を取得することができる場合、本出願の実施例におけるスケジューリング情報は変調符号化方式及び／又は共通システム情報の有効時間のみを含むことができ、当然、共通システム情報の周期情報、時間周波数リソース、変調符号化方式などを同時に含むこともできる。
【００１８】
第一の態様の上記の可能な実施形態と組み合わせ、第一の態様の第五の実施形態では、該システム情報は専用システム情報を含み、該システム情報のスケジューリング情報は該専用システム情報の時間周波数リソース情報、該専用システム情報の変調符号化方式、該専用システム情報の周期情報、該専用システム情報の周期の有効時間、該専用システム情報のモード情報と該専用システム情報のモードの有効時間のうちの少なくとも一つを含む。
【００１９】
本出願の実施例では、端末装置が既に専用システム情報に占有された時間周波数リソースを取得している場合、システム情報は専用システム情報の送信周期及び／又は共通システム情報の変調符号化方式などのみを含んでもよいこと、等々であり、例えば、従来のネットワークと互換性を持たせるために、従来のネットワーク状態において、例えば専用システム情報の周期情報と時間周波数リソース情報を取得することができる場合、本出願の実施例におけるスケジューリング情報は変調符号化方式、専用システム情報の有効時間と該専用システム情報のモードの有効時間の少なくとも一つなどのみを含んでもよく、当然、専用システム情報の周期情報、時間周波数リソース、変調符号化方式などを同時に含んでもよい。
【００２０】
上述したスケジューリング情報は共通システム情報のスケジューリング情報及び／又は専用システム情報のスケジューリング情報を含み、これらのスケジューリング情報は一つの新しいネットワークに基づくスケジューリング情報であってもよいし、従来のネットワークと互換性を持つスケジューリング情報であってもよく、本出願の実施例はこれに限定されない。
【００２１】
第一の態様の上記の可能な実施形態と組み合わせ、第一の態様の第六の実施形態では、該システム情報は専用システム情報を含み、該ネットワーク装置がシステム情報のスケジューリング情報を送信することは、該ネットワーク装置が共通システム情報によって該専用システム情報のスケジューリング情報を送信することを含む。
【００２２】
本出願の実施例では、ネットワーク装置がどのように専用システム情報のスケジューリング情報を送信するかについて、専用システム情報のスケジューリング情報をブロードキャスト、ユニキャスト又はマルチキャストすることができ、システム情報に専用システム情報のスケジューリング情報を含ませて送信することもでき、ネットワークプロトコルにおいて、ある共通システム情報に専用システム情報のスケジューリング情報を含ませるように規定されてもよいし、ネットワークプロトコルにおいて、いくつかの共通システム情報に専用システム情報のスケジューリング情報を含ませるように規定されてもよく、本出願の実施例はこれに限定されない。
【００２３】
又は、ネットワーク装置は共通システム情報のスケジューリング情報をブロードキャスト、ユニキャスト又はマルチキャストすることができ、共通システム情報のスケジューリング情報を専用システム情報に含ませて送信することもでき、ネットワークプロトコルにおいて、ある専用システム情報に共通システム情報のスケジューリング情報を含ませるように規定されてもよいし、ネットワークプロトコルにおいて、いくつかの専用システム情報に共通システム情報のスケジューリング情報を含ませるように規定されてもよく、本出願の実施例はこれに限定されない。
【００２４】
第一の態様の上記の可能な実施形態と組み合わせ、第一の態様の第七の実施形態では、該システム情報は専用システム情報を含み、該ネットワーク装置がシステム情報のスケジューリング情報を送信することは、該ネットワーク装置が第三の指示情報を送信し、該第三の指示情報が該専用システム情報のスケジューリング情報を示すことに用いられることを含む。
【００２５】
本出願の実施例では、専用システム情報のスケジューリング情報は第三の指示情報によって示されてもよく、例えば、ある特殊なビットが専用システム情報のスケジューリング情報を示すことに用いられ、例えば該ビットが０である場合、該専用システム情報が第一のリソースブロックによって送信されることを示すことができ、該ビットが１である場合、専用システム情報が第二のリソースブロックによって送信されることを示すことができ、具体的には、第三の指示情報がどのように示すかはネットワークに従って設定されてもよいし、ネットワークプロトコルに従って規定されてもよく、第三の指示情報はマルチキャスト、ユニキャスト又はブロードキャストで送信されてもよく、当然、複数の専用システム情報のスケジューリング情報は一緒に送信されてもよいし、少なくとも二つの部分に分割して送信されてもよく、一部の第三指示情報をマルチキャストし、別の部分の第三の指示情報をブロードキャストすることなどであってもよい。
【００２６】
又は、共通システム情報のスケジューリング情報が指示情報によって示されてもよく、本出願の実施例はこれに限定されず、共通システム情報のスケジューリング情報の指示情報が第三の指示情報と一緒に送信されてもよいし、別々に送信されてもよく、送信がブロードキャスト、ユニキャスト又はマルチキャストであってもよく、本出願の実施例はこれに限定されない。
【００２７】
第一の態様の上記の可能な実施形態と組み合わせ、第一の態様の第八の実施形態では、該システム情報は専用システム情報を含み、該端末装置がネットワーク装置から送信されたシステム情報のスケジューリング情報を受信することは、該端末装置がネットワーク装置から送信された少なくとも一つのスケジューリング情報を受信し、該少なくとも一つのスケジューリング情報の各スケジューリング情報が少なくとも一つの専用システム情報に対応することを含む。
【００２８】
第一の態様の上記の可能な実施形態と組み合わせ、第一の態様の第九の実施形態では、該ネットワーク装置が該スケジューリング情報に基づいて該システム情報を送信する前に、該ネットワーク装置は識別情報を送信し、該識別情報が該少なくとも一つのスケジューリング情報内の有効なスケジューリング情報を識別することに用いられ、ここで、該ネットワーク装置が該スケジューリング情報に基づいて該システム情報を送信することは、該ネットワーク装置が該有効なスケジューリング情報に基づいて該有効なスケジューリング情報に対応する専用システム情報を送信することを含む。
【００２９】
本出願の実施例では、少なくとも一つのスケジューリング情報の各スケジューリング情報が一つ又は複数の専用システム情報に対応し、即ち二つの専用システム情報が一つのスケジューリング情報を共用することができ、一つの専用システム情報が一つのスケジューリング情報に対応することもでき、ネットワーク装置が端末装置へ少なくとも一つのスケジューリング情報を送信する場合、端末装置は少なくとも一つのスケジューリング情報を受信し、ネットワーク装置はこれらのスケジューリング情報に対応する専用システム情報を全て送信しない可能性があり、そのためネットワーク装置は識別情報を送信し、識別情報によって有効なスケジューリング情報を識別する必要があり、ネットワーク装置は有効なスケジューリング情報に対応する専用システム情報を送信し、端末装置は有効なスケジューリング情報に対応する専用システム情報を受信する。
【００３０】
又は、ネットワーク装置は端末装置へ複数のスケジューリング情報を送信することもでき、複数のスケジューリング情報の各スケジューリング情報が少なくとも一つの共通システム情報に対応し、ネットワーク装置は端末装置へ複数のスケジューリング情報の識別情報を送信し、どの共通システム情報のスケジューリング情報が有効であるかを識別する必要があり、端末装置は対応する有効なスケジューリング情報で共通システム情報を受信し、本出願の実施例はこれに限定されない。
【００３１】
又は、該ネットワーク装置が少なくとも一つのスケジューリング情報を送信することはネットワーク装置が直接送信することであってもよく、ネットワーク装置が少なくとも一つのスケジューリング情報を送信することは、端末装置からのリクエストに基づいて送信することであってもよく、端末装置はネットワーク装置へリクエストメッセージを送信し、該リクエストメッセージが第一の専用システム情報をリクエストすることに用いられ、ネットワーク装置は該リクエストメッセージに基づいて第一の専用システム情報のスケジューリング情報を送信することができるだけでなく、ネットワーク装置にサポートされる全て又は部分の専用システム情報のスケジューリング情報を送信することもでき、当然、該送信はブロードキャスト、ユニキャスト又はマルチキャストであってもよい。
【００３２】
第一の態様の上記の可能な実施形態と組み合わせ、第一の態様の第十の実施形態では、該ネットワーク装置がシステム情報のスケジューリング情報を送信する前に、該方法はさらに該ネットワーク装置が端末装置から送信された、第一の専用システム情報をリクエストするためのリクエストメッセージを受信することを含み、ここで、該ネットワーク装置がシステム情報のスケジューリング情報を送信することは、該ネットワーク装置が該リクエストメッセージに基づいて該第一の専用システム情報のスケジューリング情報を送信することを含む。
【００３３】
本出願の一つの実施例では、端末装置はネットワーク装置へ第一の専用システム情報をリクエストするためのリクエストメッセージを送信し、ネットワーク装置は該リクエストメッセージに基づいて該第一の専用システム情報のスケジューリング情報を送信することができ、全て又は部分の専用システム情報のスケジューリング情報を送信することもでき、本出願の実施例はこれに限定されない。
【００３４】
第一の態様の上記の可能な実施形態と組み合わせ、第一の態様の第十一の実施形態では、該ネットワーク装置が該スケジューリング情報に基づいて該システム情報を送信することは、該ネットワーク装置が該専用システム情報の送信モードに応じて該専用システム情報を送信することを含み、該送信モードが一回送信モード、複数回非周期的送信モード又は周期的送信モードを含む。
【００３５】
本出願の実施例では、ネットワーク装置がどのように専用システム情報を送信するかは、ネットワーク装置の配置に応じて送信し、例えば専用システム情報を一回ブロードキャスト、ユニキャスト又はマルチキャストし、又は、専用システム情報を複数回ブロードキャスト、ユニキャスト又はマルチキャストすることができ、該複数回のブロードキャスト、ユニキャスト又はマルチキャストが不等間隔の時間で行われてもよく、又は専用システム情報を周期的にブロードキャスト、ユニキャスト又はマルチキャストしてもよく、具体的には、一回送信モード、複数回非周期的送信モード又は周期的送信モードがスケジューリング情報によって示されてもよく、またネットワークによって設定されてもよく、本出願の実施例はこれに限定されない。
【００３６】
又は、各専用システム情報の送信モードは同じでも異なってもよく、例えば、第一の専用システム情報が複数回非周期的送信モードで送信されてもよく、第二の専用システム情報が周期的送信モードで送信されてもよいこと、又は特定の期間内で第一の専用システム情報が複数回非周期的送信モードを使用し、別の期間内で第一の専用システム情報が一回送信モードを使用することなどがあり、具体的な専用システム情報がどの送信モードを使用するかはネットワークの配置又はネットワークプロトコルによって規定されてもよく、本出願の実施例はこれに限定されない。
【００３７】
第一の態様の上記の可能な実施形態と組み合わせ、第一の態様の第十二の実施形態では、該ネットワーク装置がシステム情報のスケジューリング情報を送信することは、該ネットワーク装置が該システム情報のスケジューリング情報をユニキャスト、マルチキャスト又はブロードキャストで送信することを含む。
【００３８】
本出願の実施例では、スケジューリング情報が一つ又は複数であってもよく、スケジューリング情報をユニキャスト、マルチキャスト又はブロードキャストし、又は部分のスケジューリング情報をブロードキャストし、部分のスケジューリング情報をマルチキャストすることができることなどがある。
【００３９】
第一の態様の上記の可能な実施形態と組み合わせ、第一の態様の第十三の実施形態では、該ネットワーク装置が該スケジューリング情報に基づいて該システム情報を送信することは、該ネットワーク装置が該スケジューリング情報に基づいて該システム情報をユニキャスト、マルチキャスト又はブロードキャストで送信することを含む。
【００４０】
本出願の実施例では、システム情報が一つ又は複数であってもよく、システム情報をユニキャスト、マルチキャスト又はブロードキャストし、又は部分のシステム情報をブロードキャストし、部分のシステム情報をマルチキャストすることができることなどがある。具体的には、専用システム情報がマルチキャスト、ユニキャスト又はブロードキャストされてもよく、共通システム情報がマルチキャスト、ユニキャスト又はブロードキャストされてもよいこと、又は部分の専用システム情報がブロードキャストされ、部分の専用システム情報がユニキャストされること、又は部分共通システム情報がブロードキャストされ、部分の共通システム情報がマルチキャストされることなどがある。
【００４１】
第二の態様による情報伝送方法は、端末装置がネットワーク装置から送信されたシステム情報のスケジューリング情報を受信することと、該端末装置が該スケジューリング情報に基づいて該ネットワーク装置から送信された該システム情報を受信することとを含む。
【００４２】
第二の態様の第一の可能な実施形態では、該端末装置がネットワーク装置から送信されたシステム情報のスケジューリング情報を受信する前に、該方法はさらに該端末装置が該ネットワーク装置から送信された第一の指示情報を受信し、該第一の指示情報が該ネットワーク装置にサポートされる専用システム情報、及び／又は該ネットワーク装置にサポートされる共通システム情報を示すことに用いられることを含む。
【００４３】
選択可能に、端末装置がシステム情報を必要とする場合、該第一の指示情報に基づき、該ネットワーク装置が端末装置の必要なシステム情報をサポートするか否かを確定することができ、ネットワーク装置が端末装置の必要なシステム情報をサポートする場合、端末装置はネットワーク装置へリクエストメッセージを送信してそれ自体に必要なシステム情報をリクエストし、このようにして、端末装置がリクエストメッセージを盲目的に送信することを回避し、さらにシグナリングオーバーヘッドを低減し、リソース利用率を向上させることができる。
【００４４】
第二の態様の上記の可能な実施形態と組み合わせ、第二の態様の第二の実施形態では、該端末装置が該スケジューリング情報に基づいて該ネットワーク装置から送信された該システム情報を受信する前に、該方法はさらに該端末装置がネットワーク装置から送信された第二の指示情報を受信し、該第二の指示情報がシステム情報の送信方式を示すことに用いられることを含む。
【００４５】
第二の態様の上記の可能な実施形態と組み合わせ、第二の態様の第三の実施形態では、該システム情報は専用システム情報及び／又は共通システム情報を含み、該第二の指示情報は専用システム情報の送信方式がスケジューリング送信方式であることを示すことに用いられ、及び／又は該第二の指示情報は共通システム情報の送信方式がスケジューリング送信方式又は固定リソース位置に基づく送信方式であることを示すことに用いられる。
【００４６】
第二の態様の上記の可能な実施形態と組み合わせ、第二の態様の第四の実施形態では、該システム情報は共通システム情報を含み、該システム情報のスケジューリング情報は該共通システム情報に占有された時間周波数リソース、該共通システム情報の送信周期、該共通システム情報の変調符号化方式と該共通システム情報の送信周期の有効時間のうちの少なくとも一つを含む。
【００４７】
第二の態様の上記の可能な実施形態と組み合わせ、第二の態様の第五の実施形態では、該システム情報は専用システム情報を含み、該システム情報のスケジューリング情報は該専用システム情報の時間周波数リソース情報、該専用システム情報の変調符号化方式、該専用システム情報の周期情報、該専用システム情報の周期の有効時間、該専用システム情報のモード情報と該専用システム情報のモードの有効時間のうちの少なくとも一つを含む。
【００４８】
第二の態様の上記の可能な実施形態と組み合わせ、第二の態様の第六の実施形態では、該システム情報は専用システム情報を含み、該端末装置がネットワーク装置から送信されたシステム情報のスケジューリング情報を受信することは、該端末装置が、該ネットワーク装置がシステム情報によって送信した該専用システム情報のスケジューリング情報を受信することを含む。
【００４９】
第二の態様の上記の可能な実施形態と組み合わせ、第二の態様の第七の実施形態では、該システム情報は専用システム情報を含み、該端末装置がネットワーク装置から送信されたシステム情報のスケジューリング情報を受信することは、該端末装置がネットワーク装置から送信された第三の指示情報を受信し、該第三の指示情報が該専用システム情報のスケジューリング情報を示すことに用いられることを含む。
【００５０】
第二の態様の上記の可能な実施形態と組み合わせ、第二の態様の第八の実施形態では、該システム情報が専用システム情報を含み、該端末装置がネットワーク装置から送信されたシステム情報のスケジューリング情報を受信することは、該端末装置がネットワーク装置から送信された少なくとも一つのスケジューリング情報を受信し、該少なくとも一つのスケジューリング情報の各スケジューリング情報が少なくとも一つの専用システム情報に対応することを含む。
【００５１】
第二の態様の上記の可能な実施形態と組み合わせ、第二の態様の第九の実施形態では、該端末装置が該ネットワーク装置から送信されたシステム情報を受信する前に、該方法はさらに該端末装置が該ネットワーク装置から送信された識別情報を受信し、該識別情報が該少なくとも一つのスケジューリング情報内の有効なスケジューリング情報を識別することに用いられることを含み、ここで、該端末装置が該スケジューリング情報に基づいて該ネットワーク装置から送信された該システム情報を受信することは、該端末装置が該有効なスケジューリング情報に基づいて該有効なスケジューリング情報に対応する専用システム情報を受信することを含む。
【００５２】
第二の態様の上記の可能な実施形態と組み合わせ、第二の態様の第十の実施形態では、該端末装置がネットワーク装置から送信されたシステム情報のスケジューリング情報を受信する前に、該方法はさらに該端末装置が該ネットワーク装置へ第一の専用システム情報をリクエストするためのリクエストメッセージを送信することを含み、ここで、該端末装置がシステム情報のスケジューリング情報を受信することは、該端末装置が、該ネットワーク装置が該リクエストメッセージに基づいて送信した該第一の専用システム情報のスケジューリング情報を受信することを含む。
【００５３】
又は、端末装置は第一の指示情報に基づき、ネットワーク装置が第一の専用システム情報をサポートするか否かを確定し、ネットワーク装置が該第一の専用システム情報をサポートする場合、端末装置はネットワーク装置へ該リクエストメッセージを送信し、端末装置が該第一の指示情報に基づき、ネットワーク装置が第一の専用システム情報をサポートしないことを確定した場合、該ネットワーク装置へリクエスト情報を送信しなくてもよい。
【００５４】
第三の態様による情報伝送装置は、上記の第一の態様又は第一の態様のいずれかの可能な実施形態における方法を実行することに用いられる。具体的には、該装置は上記の第一の態様又は第一の態様のいずれかの可能な実施形態における方法を実行するためのユニットを備える。
【００５５】
第四の態様による情報伝送装置は、上記の第二の態様又は第二の態様のいずれかの可能な実施形態における方法を実行することに用いられる。具体的には、該装置は上記の第二の態様又は第二の態様のいずれかの可能な実施形態における方法を実行するためのユニットを備える。
【００５６】
第五の態様による情報伝送装置は、受信機、送信機、送信機、メモリ、プロセッサとバスシステムを備える。ここで、該受信機、該送信機、該メモリと該プロセッサは該バスシステムを介して接続され、該メモリは命令を記憶することに用いられ、該プロセッサは該メモリに記憶された命令を実行し、信号を受信するように受信機を制御し、信号を送信するように送信機を制御することに用いられ、そして該プロセッサが該メモリに記憶された命令を実行する場合、該実行により該プロセッサは第一の態様又は第一の態様のいずれかの可能な実施形態における方法を実行する。
【００５７】
第六の態様による情報伝送装置は、受信機、送信機、送信機、メモリ、プロセッサとバスシステムを備える。ここで、該受信機、該送信機、該メモリと該プロセッサは該バスシステムを介して接続され、該メモリは命令を記憶することに用いられ、該プロセッサは該メモリに記憶された命令を実行し、信号を受信するように受信機を制御し、信号を送信するように送信機を制御することに用いられ、そして該プロセッサが該メモリに記憶された命令を実行する場合、該実行により該プロセッサは第二の態様又は第二の態様のいずれかの可能な実施形態における方法を実行する。
【００５８】
第七の態様による情報を伝送するためのシステムは、第五の態様に記載される装置と少なくとも一つの第六の態様に記載される装置を備える。
【００５９】
第八の態様によるコンピュータ可読媒体は、コンピュータプログラムを記憶することに用いられ、該コンピュータプログラムに第一の態様又は第一の態様のいずれかの可能な実施形態における方法を実行するための命令が含まれる。
【００６０】
第九の態様によるコンピュータ可読媒体は、コンピュータプログラムを記憶することに用いられ、該コンピュータプログラムに第二の態様又は第二の態様のいずれかの可能な実施形態における方法を実行するための命令が含まれる。
【図面の簡単な説明】
【００６１】
【図１】本出願の実施例による情報伝送方法の概略図である。
【図２】本出願の実施例による情報伝送方法の別の概略図である。
【図３】本出願の実施例による情報伝送方法の別の概略図である。
【図４】本出願の実施例による情報伝送装置の概略ブロック図である。
【図５】本出願の実施例による情報伝送装置の別の概略ブロック図である。
【図６】本出願の実施例による情報を伝送するためのシステムの概略ブロック図である。
【図７】本出願の実施例による情報伝送装置の概略ブロック図である。
【図８】本出願の実施例による情報伝送装置の別の概略ブロック図である。
【発明を実施するための形態】
【００６２】
本出願の実施例の技術的解決策をより明確に説明するために、以下に実施例又は従来技術の説明に必要な図面を簡単に説明し、明らかに、以下に記載される図面が本出願のくつかの実施例だけであり、当業者であれば、創造的な労力を要することなく、これらの図面に基づいて他の図面を得ることができる。
【００６３】
以下に本出願の実施例の図面を組み合わせながら、本出願の実施例における技術的解決策を明確で、全面的に説明し、明らかに、説明される実施例は本出願の一部の実施例だけであり、全ての実施例ではない。本発明の実施例に基づき、当業者が創造的な労力を要せずに得た他の実施例は、全て本発明の保護範囲に属する。
【００６４】
理解すべきものとして、本出願の実施例の技術的解決策は、様々な通信システム、例えばグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ：「ＧＳＭ」略称）システム、符号分割多元アクセス（Ｃｏｄｅ  Ｄｉｖｉｓｉｏｎ  Ｍｕｌｔｉｐｌｅ  Ａｃｃｅｓｓ：「ＣＤＭＡ」と略称）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、長期進化型（Ｌｏｎｇ  Ｔｅｒｍ  Ｅｖｏｌｕｔｉｏｎ：「ＬＴＥ」と略称）システム、ＬＴＥ周波数分割複信システム（Ｆｒｅｑｕｅｎｃｙ  Ｄｉｖｉｓｉｏｎ  Ｄｕｐｌｅｘ：「ＦＤＤ」と略称）、ＬＴＥ時分割複信（Ｔｉｍｅ  Ｄｉｖｉｓｉｏｎ  Ｄｕｐｌｅｘ  Ｓｙｓｔｅｍ：「ＴＤＤ」と略称）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）又はグローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム、及び将来の可能な通信システムなどに応用されてもよい。
【００６５】
また、理解すべきものとして、本出願の実施例では、端末装置はユーザ機器（Ｕｓｅｒ  Ｅｑｕｉｐｍｅｎｔ：「ＵＥ」と略称）、端末デバイス、移動局（Ｍｏｂｉｌｅ  Ｓｔａｔｉｏｎ：「ＭＳ」と略称）、移動端末（Ｍｏｂｉｌｅ  Ｔｅｒｍｉｎａｌ）又は将来の５Ｇネットワークにおける端末装置などと呼ばれてもよく、該端末装置は無線アクセスネットワーク（Ｒａｄｉｏ  Ａｃｃｅｓｓ  Ｎｅｔｗｏｒｋ：「ＲＡＮ」と略称）を介して一つ又は複数のコアネットワークと通信を行うことができ、例えば、端末は携帯電話（又は「セルラ」電話と呼ばれる）又は移動端末を有しているコンピュータなどであってもよく、例えば、端末はさらにポータブル、ポケット、ハンドヘルド、コンピュータ内蔵又は車載の移動装置であってもよく、それらは無線アクセスネットワークと音声及び／又はデータを交換する。
【００６６】
本出願の実施例におけるネットワーク装置は端末装置と通信するための装置であっても良く、該ネットワーク装置はＧＳＭ又はＣＤＭＡにおける基地局（Ｂａｓｅ  Ｔｒａｎｓｃｅｉｖｅｒ  Ｓｔａｔｉｏｎ：「ＢＴＳ」と略称）であってもよいし、ＷＣＤＭＡシステムにおける基地局（ＮｏｄｅＢ：「ＮＢ」と略称）であってもよいし、ＬＴＥシステムにおける進化型基地局（Ｅｖｏｌｕｔｉｏｎａｌ  Ｎｏｄｅ  Ｂ：「ｅＮＢ又はｅＮｏｄｅＢ」と略称）であってもよいし、クラウドワイヤレスアクセスネットワーク（Ｃｌｏｕｄ  Ｒａｄｉｏ  Ａｃｃｅｓｓ  Ｎｅｔｗｏｒｋ：「ＣＲＡＮ」略称）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよい。
【００６７】
本出願の実施例におけるシステム情報はサービングセルの関連情報を取得することに用いられてもよく、本出願の実施例に記載されるシステム情報は複数の情報ブロック（ＳＩＢ：Ｓｙｓｔｅｍ  Ｉｎｆｏｒｍａｔｉｏｎ  Ｂｌｏｃｋ）の情報を含むことができ、例えば、少なくともＳＩＢ１、ＳＩＢ２、ＳＩＢ３、ＳＩＢ４、ＳＩＢ５、ＳＩＢ６、ＳＩＢ７、ＳＩＢ８情報ブロックの情報を含むことができる。
【００６８】
ここで、ＳＩＢ１が主にセル選択及び滞在関連情報及び他のシステム情報ブロックのスケジューリング情報を含み、ＳＩＢ２が主にアクセス制限情報、共通チャネルパラメータ、マルチキャスト単一周波数ネットワーク（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ：「ＭＢＳＦＮ」と略称）サブフレームのスケジューリング情報を含み、ＳＩＢ３が主にセル再選択関連情報を含み、ＳＩＢ４が主に同周波数セル再選択情報を含み、ＳＩＢ５が主に周波数間セル再選択情報を含み、ＳＩＢ６が主に異システムセル再選択情報（ＵＭＴＳ無線アクセスネットワーク（ＴＭＴＳ  Ｒａｄｉｏ  Ａｃｃｅｓｓ  Ｎｅｔｗｏｒｋ：「ＵＴＲＡＮ」と略称））を含み、ＳＩＢ７が主に異システムセル再選択情報（ＧＳＭ／ＥＤＧＥ無線アクセスネットワーク  ＧＳＭ／Ｅｎｈａｎｃｅｄ  Ｄａｔａ  Ｒａｔｅ  ｆｏｒ  ＧＳＭ  Ｅｖｏｌｕｔｉｏｎ（ＥＤＧＥ）：「ＧＥＲＡＮ」と略称）を含み、ＳＩＢ８が主に異システムセル再選択情報（ＣＤＭＡ２０００）を含む。
【００６９】
図１は本出願の実施例による情報伝送方法１００の概略フローチャートである。図１に情報伝送方法のステップ又は操作が示されるが、これらのステップ又は操作が例だけであり、本出願の実施例は他の操作又は図１の各操作の変形を実行することができ、該方法１００はＳ１１０とＳ１２０を含む。
【００７０】
Ｓ１１０において、ネットワーク装置はシステム情報のスケジューリング情報を送信する。
【００７１】
Ｓ１２０において、該ネットワーク装置は該スケジューリング情報に基づいて該システム情報を送信する。
【００７２】
図２は本出願の実施例による情報伝送方法２００の概略フローチャートである。図２に情報伝送方法のステップ又は操作が示されるが、これらのステップ又は操作が例だけであり、本出願の実施例は他の操作又は図２の各操作の変形を実行することができ、該方法２００はＳ２１０とＳ２２０を含む。
【００７３】
Ｓ２１０において、端末装置はネットワーク装置から送信されたシステム情報のスケジューリング情報を受信する。
【００７４】
Ｓ２２０において、該端末装置は該スケジューリング情報に基づいて該ネットワーク装置から送信された該システム情報を受信する。
【００７５】
選択可能に、ネットワーク装置はスケジューリング情報を送信し、端末装置はスケジューリング情報を受信し、その後ネットワーク装置はスケジューリング情報に基づいてシステム情報を送信し、端末装置はスケジューリング情報に基づいてシステム情報を受信し、このようにして、ネットワーク装置が周期的に送信することを回避し、シグナリングオーバーヘッドを低減でき、リソース利用率を向上ことができる。
【００７６】
又は、システム情報を分類することができ、システム情報を専用システム情報と共通システム情報に分類することができる。共通システム情報は端末装置が共通に必要とする必要なシステム情報であってもよく、例えばＬＴＥネットワークにおいて滞在及びアクセスのための最も基本的なシステム情報、ＭＩＢ、ＳＩＢ１とＳＩＢ２などを含む。該専用システム情報はある端末装置の必要なシステム情報であってもよいし、あるタイプの端末装置の必要なシステム情報であってもよいし、ある特定サービスに必要なシステム情報であってもよく、例えばＬＴＥネットワークにおいて、Ｄ２Ｄサービスに関連するシステム情報ＳＩＢ１８及びＳＩＢ１９などを含み、例えば携帯電話、ＰＣとモノのインターネットの専用システム情報が異なってもよく、データサービスと電話サービスの専用システム情報が異なってもよい。当然、専用システム情報は一つ、一つのタイプ又は一つのグループのシステム情報であってもよく、本出願の実施例では専用システム情報の分類が限定されない。
【００７７】
したがって、上記実施例における専用システム情報は一つの端末装置の専用システム情報であってもよいし、特定タイプの端末装置の専用システム情報であってもよいし、特定サービスタイプの専用システム情報であってもよい。
【００７８】
一つの選択可能な実施例として、Ｓ１１０の前に、該方法１００はさらに該ネットワーク装置が第一の指示情報を送信し、該第一の指示情報が該ネットワーク装置にサポートされる専用システム情報、及び／又は該ネットワーク装置にサポートされる共通システム情報を示すことに用いられることを含む。Ｓ２１０の前に、該端末装置は該ネットワーク装置から送信された第一の指示情報を受信する。
【００７９】
本出願の実施例では、端末装置がシステム情報を必要とする時に、ネットワーク装置がどのシステム情報タイプをサポートしているかを知らず、したがって、ネットワーク装置がシステム情報のスケジューリング情報を送信する前に第一の指示情報を送信してネットワーク装置にサポートされるタイプを示す必要があり、該送信がユニキャスト、マルチキャスト又はブロードキャストの方式であってもよく、このようにして、端末装置はネットワーク装置にサポートされるシステム情報を取得し、さらにネットワーク装置にサポートされるシステム情報のスケジューリング情報に基づいてシステム情報を受信することができる。
【００８０】
一つの選択可能な実施例として、Ｓ１１０の前に、該方法１００はさらに該ネットワーク装置が第二の指示情報を送信し、該第二の指示情報がシステム情報の送信方式を示すことに用いられることを含む。Ｓ２１０の前に、該方法２００はさらに該端末装置がネットワーク装置から送信された第二の指示情報を受信することを含む。
【００８１】
本出願の実施例では、ネットワーク装置はシステム情報の送信方式、例えば全てのシステム情報がスケジューリングにより送信され、即ち情報をスケジューリングすることにより送信されること、又は共通システム情報が固定リソース位置により送信され、専用システム情報がスケジューリングにより送信されること、又は部分の専用システム情報が固定リソース位置により送信され、残りの部分の専用システム情報がスケジューリングにより送信されること、又は部分の共通システム情報が固定リソース位置に基づいて送信され、残りの部分の共通システム情報がスケジューリングにより送信されることなどを端末装置に知らせる必要があり、本出願の実施例はこれに限定されない。
【００８２】
又は、ネットワーク装置は端末装置へ第一の指示情報と第二の指示情報を同時に送信することができ、ネットワーク装置は端末装置へ第一の指示情報と第二の指示情報を別々に送信することもでき、具体的には、第一の指示情報と第二の指示情報が端末装置にブロードキャストで送信されてもよいし、第一の指示情報と第二の指示情報が端末装置にマルチキャストで送信されてもよく、当然、該第一の指示情報と第二の指示情報が従来の一つの共通システム情報に含まれてマルチキャスト又はブロードキャストで送信されてもよく、該第一の指示情報と第二の指示情報が従来の二つの異なる共通システム情報に含まれて端末装置へマルチキャスト又はブロードキャストで送信されてもよく、具体的にどの送信方式を使用するかはネットワーク装置によって設定されてもよいし、第一の指示情報と第二の指示情報がどのモードで送信されるかはネットワークプロトコルによって規定されてもよく、本出願の実施例はこれに限定さない。
【００８３】
理解すべきものとして、ネットワーク装置は第一の指示情報によってネットワーク装置にサポートされるシステム情報のタイプを示し、第二の指示情報によってシステム情報の送信方式を示すことができるが、ネットワーク装置から送信されたシステム情報が第一の指示情報と第二の指示情報に示されるシステム情報と一致してもよいし、一致しなくてもよく、例えば、第一の指示情報が、ネットワーク装置が５種類の専用システム情報、４種類の共通システム情報をサポートすることを示し、ネットワーク装置が２種類の専用システム情報のスケジューリング情報、３種類の共通システム情報のスケジューリング情報のみを送信することができ、また例えば、第二の指示情報が３種類の専用システム情報がスケジューリングにより送信され、ネットワーク装置が１種類又は２種類の専用システム情報のスケジューリング情報のみを送信することができることなどがあり、本出願の実施例はこれに限定されない。
【００８４】
一つの選択可能な実施例として、該システム情報は専用システム情報及び／又は共通システム情報を含み、該第二の指示情報は専用システム情報の送信方式がスケジューリング送信方式であることを示すことに用いられ、及び／又は該第二の指示情報は共通システム情報の送信方式がスケジューリング送信方式又は固定リソース位置に基づく送信方式であることを示すことに用いられる。
【００８５】
具体的には、第二の指示情報は具体的に専用システム情報の送信方式がスケジューリング送信方式であり、デフォルトの共通システム情報の送信方式が固定リソース位置に基づく送信方式であることを示すことができ、又は第二の指示情報は具体的に共通システム情報の送信方式が固定リソース位置に基づく送信方式であり、デフォルトの専用システム情報の送信方式がスケジューリング送信方式であることを示すことができ、又は第二の指示情報は具体的に共通システム情報の送信方式が固定リソース位置に基づく送信方式であり、専用システム情報の送信方式がスケジューリング送信方式であることを示すことができ、又は第二の指示情報は具体的に共通システム情報の送信方式がスケジューリング送信方式であり、専用システム情報の送信方式もスケジューリング送信方式であることを示すことができる。
【００８６】
又は、具体的に第二の指示情報がどのように送信方式を示すかは、ネットワークによって端末装置に設定してもよく、ネットワークプロトコルに従って規定されてもよく、本出願の実施例はこれに限定されない。
【００８７】
一つの選択可能な実施例として、該システム情報は共通システム情報を含み、該システム情報のスケジューリング情報は該共通システム情報に占有された時間周波数リソース、該共通システム情報の送信周期、該共通システム情報の変調符号化方式と該共通システム情報の送信周期の有効時間のうちの少なくとも一つを含む。
【００８８】
本出願の実施例では、端末装置が既に共通システム情報に占有された時間周波数リソースを取得している場合、システム情報は共通システム情報の送信周期及び／又は共通システム情報の変調符号化方式などのみを含んでもよいこと、等々であり、例えば、従来のネットワークと互換性を持たせるために、従来のネットワーク状態において例えば共通システム情報の周期情報と時間周波数リソース情報を取得することができる場合、本出願の実施例におけるスケジューリング情報は変調符号化方式及び／又は共通システム情報の送信周期の有効時間のみを含んでもよく、当然、共通システム情報の周期情報、時間周波数リソース、変調符号化方式などを同時に含むこともできる。
【００８９】
一つの選択可能な実施例として、該システム情報は専用システム情報を含み、該システム情報のスケジューリング情報は該専用システム情報の時間周波数リソース情報、該専用システム情報の変調符号化方式、該専用システム情報の周期情報、該専用システム情報の周期の有効時間、該専用システム情報のモード情報と該専用システム情報のモードの有効時間のうちの少なくとも一つを含む。
【００９０】
本出願の実施例では、端末装置が既に専用システム情報に占有された時間周波数リソースを取得している場合、システム情報は専用システム情報の送信周期及び／又は共通システム情報の変調符号化方式などのみを含んでもよいこと、等々であり、例えば、従来のネットワークと互換性を持たせるために、従来のネットワーク状態において例えば専用システム情報の周期情報と時間周波数リソース情報を取得することができる場合、本出願の実施例におけるスケジューリング情報は変調符号化方式、専用システム情報の有効時間と該専用システム情報のモードの有効時間の少なくとも一つなどのみを含んでもよく、当然、専用システム情報の周期情報、時間周波数リソース、変調符号化方式などを同時に含んでもよい。
【００９１】
理解すべきものとして、スケジューリング情報は共通システム情報のスケジューリング情報及び／又は専用システム情報のスケジューリング情報を含み、これらのスケジューリング情報は一つの新しいネットワークに基づくスケジューリング情報であってもよいし、従来のネットワークと互換性を持つスケジューリング情報であってもよく、本出願の実施例はこれに限定されない。
【００９２】
具体的には、スケジューリング情報は時間周波数リソース、空間領域リソース、周期情報とモード情報などを含むことができるだけでなく、周期の有効時間、モードの有効時間を含むこともでき、ネットワーク装置がシステム情報を周期的に送信する必要がある場合、該周期の有効時間を確定する必要があり、例えば、１０ｍｓごとにシステム情報を送信し、該１０ｍｓ周期の有効時間が３０ｓであり、３０ｓを超えるとシステム情報を送信しなくなり、ネットワーク装置がモードに従って送信する必要がある場合、該モードの有効時間を確定する必要があり、例えば、それぞれ３０ｍｓ、４０ｍｓ、６０ｍｓの間隔でシステム情報を送信し、該モードの有効時間が５０ｓであり、５０ｓを超えるとシステム情報を送信しなくなる。有効時間によりシステム情報の送信を停止することにより、無期限に送信されるリソースの無駄を回避し、システム情報の送信効率をさらに向上させることができる。
【００９３】
一つの選択可能な実施例として、該システム情報が専用システム情報を含み、Ｓ１１０は、該ネットワーク装置が共通システム情報によって該専用システム情報のスケジューリング情報を送信することを含む。Ｓ２１０は該端末装置が、該ネットワーク装置がシステム情報によって送信した該専用システム情報のスケジューリング情報を受信することを含む。
【００９４】
具体的には、ネットワーク装置がどのように専用システム情報のスケジューリング情報を送信するかについて、専用システム情報のスケジューリング情報をブロードキャスト、ユニキャスト又はマルチキャストすることができ、システム情報に専用システム情報のスケジューリング情報を含ませて送信することもでき、ネットワークプロトコルにおいて、ある共通システム情報に専用システム情報のスケジューリング情報を含ませるように規定されてもよいし、ネットワークプロトコルにおいていくつかの共通システム情報に専用システム情報のスケジューリング情報を含ませるように規定されてもよく、本出願の実施例はこれに限定されず、例えばネットワーク装置は三つのスケジューリング情報を送信する必要がある時に、三つのスケジューリング情報を一つの共通システム情報に含ませて送信することができ、三つのスケジューリング情報を二つの共用システム情報に含ませて送信することもでき、三つのスケジューリング情報を三つの共通システム情報に含ませて送信することもでき、具体的にどのシステム情報に含ませるかはネットワークプロトコルに従って規定されてもよい。
【００９５】
選択可能に、ネットワーク装置は共通システム情報のスケジューリング情報をブロードキャスト、ユニキャスト又はマルチキャストすることができ、共通システム情報のスケジューリング情報を専用システム情報に含ませて送信することもでき、プロトコルにおいて、ある専用システム情報に共通システム情報のスケジューリング情報を含ませるように規定されてもよいし、プロトコルにおいて、いくつかの専用システム情報に共通システム情報のスケジューリング情報を含ませるように規定されてもよく、本出願の実施例はこれに限定されない。
【００９６】
一つの選択可能な実施例として、該システム情報は専用システム情報を含み、Ｓ１１０は該ネットワーク装置が第三の指示情報を送信し、該第三の指示情報が該専用システム情報のスケジューリング情報を示すことに用いられることを含む。Ｓ２１０は該端末装置がネットワーク装置から送信された第三の指示情報を受信することを含む。
【００９７】
具体的には、専用システム情報のスケジューリング情報は第三の指示情報によって示されてもよく、例えば、ある特殊なビットが専用システム情報のスケジューリング情報を示すことに用いられ、例えば該ビットが０である場合、該専用システム情報が第一のリソースブロックによって送信されることを示すことができ、該ビットが１である場合、専用システム情報が第二のリソースブロックによって送信されることを示すことができ、具体的には、第三の指示情報がどのように専用システム情報を示すかはネットワークに従って設定され、ネットワークプロトコルに従って規定されてもよく、第三の指示情報はマルチキャスト、ユニキャスト又はブロードキャストで送信されてもよく、当然、複数の専用システム情報のスケジューリング情報は一緒に送信されてもよいし、少なくとも二つの部分に分割して送信されてもよく、一部の第三指示情報をマルチキャストし、別の部分の第三の指示情報をブロードキャストすることなどであってもよい。
【００９８】
理解すべきものとして、該第三の指示情報は上記の第一の指示情報及び／又は第二の指示情報と同一の指示情報であってもよいし、異なる指示情報であってもよく、第一の指示情報、第二の指示情報と第三の指示情報は、別々に送信されてもよいし、一緒に送信されてもよく、又は三つの指示情報のうちの二つが一緒に送信されてもよいことがあり、本出願の実施例はこれに限定されず、さらに、第三の指示情報はブロードキャスト、マルチキャスト又はユニキャストで送信されてもよく、当然この三つの指示情報は共通システム情報に含まれてもよいし、専用システム情報に含まれてもよく、本出願の実施例はこれに限定されない。
【００９９】
又は、共通システム情報のスケジューリング情報は別の指示情報によって示されてもよく、本出願の実施例はこれに限定されず、共通システム情報のスケジューリング情報の指示情報は第三の指示情報と一緒に送信されてもよいし、別々に送信されてもよく、送信がブロードキャスト、ユニキャスト又はマルチキャストであってもよく、本出願の実施例はこれに限定されない。
【０１００】
一つの選択可能な実施例として、該システム情報が専用システム情報を含み、Ｓ１１０は該ネットワーク装置が少なくとも一つのスケジューリング情報を送信し、該少なくとも一つのスケジューリング情報の各スケジューリング情報が少なくとも一つの専用システム情報に対応することを含み、Ｓ２１０は該端末装置がネットワーク装置から送信された少なくとも一つのスケジューリング情報を受信することを含む。
【０１０１】
一つの選択可能な実施例として、該ネットワーク装置が該スケジューリング情報に基づいて該システム情報を送信する前に、該方法１００はさらに該ネットワーク装置が識別情報を送信し、該識別情報が該少なくとも一つのスケジューリング情報内の有効なスケジューリング情報を識別することに用いられることを含み、ここで、Ｓ１２０は該ネットワーク装置が該有効なスケジューリング情報に基づいて該有効なスケジューリング情報に対応する専用システム情報を送信することを含む。該端末装置が該ネットワーク装置から送信されたシステム情報を受信する前に、Ｓ２１０は、該端末装置がネットワーク装置から送信された少なくとも一つのスケジューリング情報を受信することと、該端末装置が該ネットワーク装置から送信された識別情報を受信し、該識別情報が該少なくとも一つのスケジューリング情報内の有効なスケジューリング情報を識別することに用いられることとを含み、ここで、Ｓ２２０は、該端末装置が該有効なスケジューリング情報に基づいて該有効なスケジューリング情報に対応する専用システム情報を受信することを含む。
【０１０２】
理解すべきものとして、該少なくとも一つのスケジューリング情報は識別情報と一緒に送信されてもよいし、別々に送信されてもよく、少なくとも一つのスケジューリング情報がブロードキャストで送信され、識別情報がマルチキャストで送信されることなどであってもよく、識別情報が有効なスケジューリング情報のみを示してもよいし、識別情報と少なくとも一つのスケジューリング情報との対応関係を示してもよく、例えば、該対応関係が識別情報と少なくとも一つのスケジューリング情報内の有効なスケジューリング情報と無効なスケジューリング情報との対応関係であってもよく、本出願の実施例はこれに限定されない。
【０１０３】
具体的には、少なくとも二つの専用スケジューリング情報における各スケジューリング情報が一つ又は複数の専用システム情報に対応し、即ち二つの専用システム情報が一つのスケジューリング情報を共用することができ、ネットワーク装置が端末装置へ少なくとも一つのスケジューリング情報を送信する場合、端末装置は少なくとも一つのスケジューリング情報を受信し、ネットワーク装置はこれらのスケジューリング情報に対応する専用システム情報を全て送信しない可能性があり、そのためネットワーク装置は識別情報を送信し、識別情報によって有効なスケジューリング情報を識別する必要があり、ネットワーク装置は有効なスケジューリング情報に対応する専用システム情報を送信し、端末装置は有効なスケジューリング情報に対応する専用システム情報を受信する。
【０１０４】
例えば、ネットワーク装置は端末装置へ一つのグループの識別情報を送信して専用システム情報の有効なスケジューリング情報を識別することができ、理解を容易にするために、例えば、図３に示すように、８つのビットを使用して８つの特定のスケジューリング情報を識別することができ、例えば、ネットワーク装置がこの８つのビットを送信する場合、端末装置は受信する時に該１番目、２番目、４番目、７番目、８番目のスケジューリング情報を有効なスケジューリング情報として得ることができ、即ちこれらの有効なスケジューリング情報に対応するリソースで対応する専用システム情報を受信する。
【０１０５】
又は、ネットワーク装置は端末装置へ複数のスケジューリング情報を送信することができ、複数のスケジューリング情報の各スケジューリング情報が少なくとも一つの共通システム情報に対応し、ネットワーク装置は端末装置へ複数のスケジューリング情報の識別情報を送信し、どのスケジューリング情報が有効であるかを識別する必要があり、端末装置は対応する有効なスケジューリング情報で共通システム情報を受信し、本出願の実施例はこれに限定されない。
【０１０６】
又は、該ネットワーク装置が少なくとも一つのスケジューリング情報を送信することはネットワーク装置が直接送信することであってもよく、ネットワーク装置が少なくとも一つのスケジューリング情報を送信することは端末装置からのリクエストに基づいて送信することであってもよく、端末装置はネットワーク装置へリクエストメッセージを送信し、該リクエストメッセージが第一の専用システム情報をリクエストすることに用いられ、ネットワーク装置は該リクエストメッセージに基づいて第一の専用システム情報のスケジューリング情報を送信することができるだけでなく、ネットワーク装置にサポートされる全て又は部分の専用システム情報のスケジューリング情報を送信することもでき、このようにして、第一の端末装置は一回のリクエストにより複数の専用システム情報のスケジューリング情報をリクエストすることができ、端末装置は他の専用システム情報を必要とする時に、必要な専用システム情報のリソース位置で直接受信することができ、このようにして、シグナリングオーバーヘッドをさらに節約し、リソース利用率を向上させる。
【０１０７】
一つの選択可能な実施例として、Ｓ２１０の前に、該方法はさらに該端末装置が該ネットワーク装置へ第一の専用システム情報をリクエストするためのリクエストメッセージを送信することを含み、ここで、Ｓ２２０は、該端末装置が、該ネットワーク装置が該リクエストメッセージに基づいて送信した該第一の専用システム情報のスケジューリング情報を受信することを含む。Ｓ１１０の前に、該方法はさらに該ネットワーク装置が端末装置から送信されたリクエストメッセージを受信し、該リクエストメッセージが第一の専用システム情報をリクエストすることに用いられることを含み、ここで、Ｓ１１０は、該ネットワーク装置が該リクエストメッセージに基づいて該第一の専用システム情報のスケジューリング情報を送信することを含む。
【０１０８】
具体的には、端末装置はネットワーク装置へ第一の専用システム情報をリクエストするためのリクエストメッセージを送信し、ネットワーク装置は該リクエストメッセージに基づいて該第一の専用システム情報のスケジューリング情報を送信することができ、全て又は部分の専用システム情報のスケジューリング情報を送信することもでき、本出願の実施例はこれに限定されない。
【０１０９】
より具体的には、端末装置が第一の専用システム情報を必要とする場合、ネットワーク装置へリクエストメッセージを送信して第一の専用システム情報をリクエストし、ネットワーク装置が該リクエストメッセージを受信した場合、第一の端末装置へ第一の専用システム情報のスケジューリング情報を送信し、端末装置は該スケジューリング情報を受信し、ネットワーク装置は該スケジューリング情報に基づいて第一の専用システム情報を送信し、端末装置は該スケジューリング情報に基づいて第一の専用システム情報を受信し、このようにして、ネットワーク装置は端末装置のリクエストに応じて第一の専用システム情報を送信し、これによりネットワーク装置が全てのシステム情報を周期的にブロードキャストすることを回避し、さらに、シグナリングオーバーヘッドをさらに節約し、リソース利用率を向上させる。
【０１１０】
又は、端末装置は第一の指示情報に基づいてネットワーク装置が第一の専用システム情報をサポートするか否かを確定し、ネットワーク装置が該第一の専用システム情報をサポートする場合、端末装置はネットワーク装置へ該リクエストメッセージを送信し、端末装置が該第一の指示情報に基づいてネットワーク装置が第一専用システム情報をサポートしない場合、該ネットワーク装置へリクエスト情報を送信しなくてもよい。
【０１１１】
理解すべきものとして、本発明の実施例では、端末装置がリクエストメッセージによってスケジューリング情報をリクエストすることは一つの好ましい実施例だけであり、実際の応用中において、ネットワーク装置はスケジューリング情報を直接送信することができ、ネットワーク装置はスケジューリング情報の履歴送信時間又は送信方式に基づき、現在の送信されているスケジューリング情報を確定することができ、又はネットワーク装置は確率データに基づいてシステム情報のスケジューリング情報を送信することなどがあり、例えば、毎日の１９：００にニュース放送が行われる場合、ネットワーク装置は毎日の１９：００にニュース放送データに関するシステム情報のスケジューリング情報などを送信することができ、本出願の実施例はこれに限定されない。
【０１１２】
一つの選択可能な実施例として、該ネットワーク装置が該スケジューリング情報に基づいて該システム情報を送信することは、該ネットワーク装置が該専用システム情報の送信モードに応じて該専用システム情報を送信することを含み、該送信モードが一回送信モード、複数回非周期的送信モード又は周期的送信モードを含む。
【０１１３】
選択可能に、一つの専用システム情報に対して、該専用システム情報のスケジューリング情報は一回送信モード、複数回非周期的送信モード又は周期的送信モードを示すことができ、当然、ネットワーク装置は該一回送信モード、複数回非周期的送信モード又は周期的送信モードを確定することもでき、スケジューリング情報によって送信モードを示す必要がなく、本出願の実施例はこれに限定されない。
【０１１４】
本出願の実施例では、ネットワーク装置がどのように専用システム情報を送信するかは、ネットワーク装置の配置に応じて送信し、例えば専用システム情報を一回ブロードキャスト、ユニキャスト又はマルチキャストし、又は、専用システム情報を複数回ブロードキャスト、ユニキャスト又はマルチキャストすることができ、該複数回のブロードキャスト、ユニキャスト又はマルチキャストが不等間隔の時間で行われてもよく、又は専用システム情報を周期的にブロードキャスト、ユニキャスト又はマルチキャストする。
【０１１５】
又は、各専用システム情報の送信モードは同じでも異なってもよく、例えば、第一の専用システム情報が複数回非周期的送信モードで送信されてもよく、第二の専用システム情報が周期的送信モードで送信されてもよいこと、又は特定の期間内で第一の専用システム情報が複数回非周期的送信モードを使用し、別の期間内で第一の専用システム情報が一回送信モードを使用することなどがあり、具体的な専用システム情報がどの送信モードを使用するかはネットワークの配置又はネットワークプロトコルによって規定されてもよく、本出願の実施例はこれに限定されない。
【０１１６】
例えば、一回送信モードは専用システム情報を一回送信することであってもよく、複数回非周期的送信モードは専用システム情報を複数回送信することであってもよく、周期的送信モードは専用システム情報を周期的に送信することであってもよい。専用システム情報を複数回送信することは特定の時間間隔で送信すること、例えば、それぞれ３０ｍｓ、４０ｍｓ、６０ｍｓの間隔で専用システム情報を送信することであってもよく、専用システム情報を周期的に送信することはネットワークプロトコルの規定に従って２０ｍｓごとに専用システム情報を送信することなどであってもよく、具体的には、これらの送信モードはネットワークプロトコルに従って規定されてもよく、又はネットワークによって端末装置に設定してもよく、本出願の実施例はこれに限定されない。さらに、専用システム情報の送信モードはスケジューリング情報に基づいて確定されてもよく、例えばスケジューリング情報に基づき、複数回非周期的送信モードがそれぞれ３０ｍｓ、４０ｍｓ、６０ｍｓの間隔で専用システム情報を送信することであることを確定し、即ち専用システム情報の送信モードはスケジューリングメッセージに含まれてもよく、又はスケジューリング情報におけるある特殊なビットが専用システム情報の送信モードを示すことができる。
【０１１７】
一つの選択可能な実施例として、端末装置がネットワーク装置のサービス範囲内にある場合、ネットワーク装置はスケジューリング情報を返信した後、専用システム情報を一回ブロードキャスト又はマルチキャストし、該端末装置が受信できることを保証することができ、他の端末装置が続々と該ネットワーク装置にアタッチする場合、一回の送信により、これらの後続にアタッチする端末装置が該専用システム情報を受信できることを保証することができなく、したがって、該専用システム情報を複数回又は周期的に送信する必要があり、複数回又は周期的に送信する場合、後続にアタッチする端末装置が該専用システム情報のスケジューリング情報を知らないため、ネットワーク装置は、後続のアタッチする端末装置が該専用システム情報を正確に受信することを保証するために、該専用システム情報のスケジューリング情報を再度送信する必要があり、さらにデータ伝送の安定性を向上させることができる。
【０１１８】
一つの選択可能な実施例として、該ネットワーク装置がシステム情報のスケジューリング情報を送信することは、該ネットワーク装置が該システム情報のスケジューリング情報をユニキャスト、マルチキャスト又はブロードキャストで送信することを含む。
【０１１９】
具体的には、スケジューリング情報が一つ又は複数であってもよく、スケジューリング情報をユニキャスト、マルチキャスト又はブロードキャストし、又は部分のスケジューリング情報をブロードキャストし、部分のスケジューリング情報をマルチキャストすることができることなどがある。
【０１２０】
一つの選択可能な実施例として、該ネットワーク装置が該スケジューリング情報に基づいて該システム情報を送信することは、該ネットワーク装置が該スケジューリング情報に基づいて該システム情報をユニキャスト、マルチキャスト又はブロードキャストすることを含む。
【０１２１】
具体的には、システム情報が一つ又は複数であってもよく、システム情報をユニキャスト、マルチキャスト又はブロードキャストし、又は部分のシステム情報をブロードキャストし、部分のシステム情報をマルチキャストすることができることなどがある。具体的には、専用システム情報がマルチキャスト、ユニキャスト又はブロードキャストされてもよく、共通システム情報がマルチキャスト、ユニキャスト又はブロードキャストされてもよいこと、又は部分の専用システム情報がブロードキャストされ、部分の専用システム情報がユニキャストされてもよいこと、又は部分の共通システム情報がブロードキャストされ、部分の共通システム情報がマルチキャストされることなどがあり、本出願の実施例はこれに限定されない。
【０１２２】
一つの例として、ネットワーク装置にサービスされるセルには、Ａ、Ｂ、Ｃ、ＤとＥという５つの端末装置があり、ここでＡ、ＢとＣが第一のタイプの端末装置に属し、ＤとＥが第二のタイプの端末装置に属し、ネットワーク装置は第一の専用システム情報をＡ、ＢとＣにマルチキャストし、第二の専用システム情報をＤとＥにマルチキャストし、又は第一の専用システム情報をＡ、Ｂ、Ｃ、ＤとＥにブロードキャストすることができ、本出願の実施例はこれに限定されなく、又は第一の専用システム情報をＡ、ＢとＣにユニキャストし、第二の専用システム情報をＤとＥにマルチキャストすることができることなどがあり、本出願の実施例はこれに限定されない。
【０１２３】
理解すべきものとして、本出願の実施例におけるシステム情報はスケジューリング情報と１対１に対応しなくてもよく、例えば、２つのシステム情報は一つのスケジューリング情報を共用することができ、具体的には、専用システム情報は専用システム情報のスケジューリング情報と１対１に対応しなくてもよく、例えば二つの専用システム情報は一つのスケジューリング情報を共用し、本出願の実施例はこれに限定されない。
【０１２４】
図４は本出願の実施例による情報伝送装置３００の概略図であり、例えば該装置３００はネットワーク装置であってもよく、装置３００は第一の送信モジュール３１０と第二の送信モジュール３２０を備える。
【０１２５】
第一の送信モジュール３１０はシステム情報のスケジューリング情報を送信するように構成される。
【０１２６】
第二の送信モジュール３２０は該スケジューリング情報に基づいて該システム情報を送信するように構成される。
【０１２７】
理解すべきものとして、第一の送信モジュール３１０及び第二の送信モジュール３２０は機能的な分割だけであり、第一の送信モジュール３１０と第二の送信モジュール３２０は同一の送信モジュールであってもよいし、異なる送信モジュールであってもよく、本出願の実施例はこれに限定されない。
【０１２８】
一つの選択可能な実施例として、該第一の送信モジュール３１０はさらに該システム情報のスケジューリング情報を送信する前に、第一の指示情報を送信するように構成され、該第一の指示情報が該装置３００にサポートされる専用システム情報、及び／又は該装置３００にサポートされる共通システム情報を示すことに用いられる。
【０１２９】
一つの選択可能な実施例として、該第一の送信モジュール３１０はさらに該スケジューリング情報に基づいて該システム情報を送信する前に、システム情報の送信方式を示すための第二の指示情報を送信するように構成される。
【０１３０】
一つの選択可能な実施例として、該システム情報は専用システム情報及び／又は共通システム情報を含み、該第二の指示情報は専用システム情報の送信方式がスケジューリング送信方式であることを示すことに用いられ、及び／又は該第二の指示情報は共通システム情報の送信方式がスケジューリング送信方式又は固定リソース位置に基づく送信方式であることを示すことに用いられる。
【０１３１】
一つの選択可能な実施例として、該システム情報は共通システム情報を含み、該システム情報のスケジューリング情報は該共通システム情報に占有された時間周波数リソース、該共通システム情報の送信周期、該共通システム情報の変調符号化方式と該共通システム情報の送信周期の有効時間のうちの少なくとも一つを含む。
【０１３２】
一つの選択可能な実施例として、該システム情報は専用システム情報を含み、該システム情報のスケジューリング情報は該専用システム情報の時間周波数リソース情報、該専用システム情報の変調符号化方式、該専用システム情報の周期情報、該専用システム情報の周期の有効時間、該専用システム情報のモード情報と該専用システム情報のモードの有効時間のうちの少なくとも一つを含む。
【０１３３】
一つの選択可能な実施例として、該システム情報は専用システム情報を含み、該第一の送信モジュール３１０は具体的に共通システム情報によって該専用システム情報のスケジューリング情報を送信するように構成される。
【０１３４】
一つの選択可能な実施例として、該システム情報は専用システム情報を含み、該第一の送信モジュール３１０は具体的に該専用システム情報のスケジューリング情報を示すための第三の指示情報を送信するように構成される。
【０１３５】
一つの選択可能な実施例として、該システム情報は専用システム情報を含み、該第一の送信モジュール３１０は具体的に少なくとも一つのスケジューリング情報を送信するように構成され、該少なくとも一つのスケジューリング情報の各スケジューリング情報が少なくとも一つの専用システム情報に対応する。
【０１３６】
一つの選択可能な実施例として、該第一の送信モジュール３１０はさらに該スケジューリング情報に基づいて該システム情報を送信する前に識別情報を送信し、該識別情報が該少なくとも一つのスケジューリング情報内の有効なスケジューリング情報を識別することに用いられる。該第二の送信モジュール３２０は具体的に該有効なスケジューリング情報に基づいて該有効なスケジューリング情報に対応する専用システム情報を送信するように構成される。
【０１３７】
一つの選択可能な実施例として、該装置３００はさらに該システム情報のスケジューリング情報を送信する前に、端末装置から送信された、第一の専用システム情報をリクエストするリクエストメッセージを受信するように構成される受信モジュールを備え、該第一の送信モジュール３１０は具体的に該リクエストメッセージに基づいて該第一の専用システム情報のスケジューリング情報を送信するように構成される。
【０１３８】
一つの選択可能な実施例として、該システム情報は専用システム情報を含み、該第二の送信モジュール３２０は具体的に該専用システム情報の送信モードに応じて該専用システム情報を送信するように構成され、該送信モードが一回送信モード、複数回非周期的送信モード又は周期的送信モードを含む。
【０１３９】
一つの選択可能な実施例として、該第一の送信モジュール３１０は具体的に該システム情報のスケジューリング情報をユニキャスト、マルチキャスト又はブロードキャストで送信するように構成される。
【０１４０】
一つの選択可能な実施例として、該第二の送信モジュール３２０は具体的に該スケジューリング情報に基づいて該システム情報をユニキャスト、マルチキャスト又はブロードキャストで送信するように構成される。
【０１４１】
理解すべきものとして、ここでの装置３００は機能モジュールの形態で具現化される。ここでの用語「モジュール」は特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、一つ又は複数のソフトウェア又はファームウェアプログラムを実行するためのプロセッサ（例えば共有プロセッサ、プロプライエタリプロセッサ又はグループプロセッサなど）とメモリ、組み合わせ論理回路及び／又は説明される機能をサポートする他の適切な部材であってもよい。一つの選択可能な例では、当業者は、装置３００が具体的に上記実施例におけるネットワーク装置であってもよく、装置３００が上記方法の実施例における、ネットワーク装置に対応する各プロセス及び／又はステップを実行することに用いられてもよく、繰り返しを回避するために、ここで説明を省略する。
【０１４２】
図５は本出願の実施例による情報伝送装置４００の概略図であり、例えば該装置４００は端末装置であってもよく、装置４００は第一の受信モジュール４１０と第二の受信モジュール４２０を備える。
【０１４３】
第一の受信モジュール４１０はネットワーク装置から送信されたシステム情報のスケジューリング情報を受信するように構成される。
【０１４４】
第二の受信モジュール４２０は、該スケジューリング情報に基づいて該ネットワーク装置から送信された該システム情報を受信するように構成される。
【０１４５】
理解すべきものとして、第一の受信モジュール４１０及び第二の受信モジュール４２０は機能的な分割だけであり、第一の受信モジュール４１０と第二の受信モジュール４２０は同一の受信モジュールであってもよいし、異なる受信モジュールであってもよく、本出願の実施例はこれに限定されない。
【０１４６】
一つの選択可能な実施例として、該第一の受信モジュール４１０はさらに該ネットワーク装置から送信されたシステム情報のスケジューリング情報を受信する前に、該ネットワーク装置から送信された第一の指示情報を受信するように構成され、該第一の指示情報が該ネットワーク装置にサポートされる専用システム情報、及び／又は該ネットワーク装置にサポートされる共通システム情報を示すことに用いられる。
【０１４７】
一つの選択可能な実施例として、該第一の受信モジュール４１０は具体的に該スケジューリング情報に基づいて該ネットワーク装置から送信された該システム情報を受信する前に、ネットワーク装置から送信された第二の指示情報を受信するように構成され、該第二の指示情報がシステム情報の送信方式を示すことに用いられる。
【０１４８】
一つの選択可能な実施例として、該システム情報は専用システム情報及び／又は共通システム情報を含み、該第二の指示情報は専用システム情報の送信方式がスケジューリング送信方式であることを示すことに用いられ、及び／又は該第二の指示情報は共通システム情報の送信方式がスケジューリング送信方式又は固定リソース位置に基づく送信方式であることを示すことに用いられる。
【０１４９】
一つの選択可能な実施例として、該システム情報は共通システム情報を含み、該システム情報のスケジューリング情報は該共通システム情報に占有された時間周波数リソース、該共通システム情報の送信周期、該共通システム情報の変調符号化方式と該共通システム情報の送信周期の有効時間のうちの少なくとも一つを含む。
【０１５０】
一つの選択可能な実施例として、該システム情報は専用システム情報を含み、該システム情報のスケジューリング情報は該専用システム情報の時間周波数リソース情報、該専用システム情報の変調符号化方式、該専用システム情報の周期情報、該専用システム情報の周期の有効時間、該専用システム情報のモード情報と該専用システム情報のモードの有効時間のうちの少なくとも一つを含む。
【０１５１】
一つの選択可能な実施例として、該システム情報は専用システム情報を含み、該第一の受信モジュール４１０は具体的にネットワーク装置がシステム情報によって送信した該専用システム情報のスケジューリング情報を受信するように構成される。
【０１５２】
一つの選択可能な実施例として、該システム情報は専用システム情報を含み、該第一の受信モジュール４１０は具体的にネットワーク装置から送信された第三の指示情報を受信するように構成され、該第三の指示情報が該専用システム情報のスケジューリング情報を示すことに用いられる。
【０１５３】
一つの選択可能な実施例として、該システム情報は専用システム情報を含み、該第一の受信モジュール４１０は具体的にネットワーク装置から送信された少なくとも一つのスケジューリング情報を受信するように構成され、該少なくとも一つのスケジューリング情報の各スケジューリング情報が少なくとも一つの専用システム情報に対応する。
【０１５４】
一つの選択可能な実施例として、該第一の受信モジュール４１０は具体的に該ネットワーク装置から送信されたシステム情報を受信する前に、該ネットワーク装置から送信された識別情報を受信するように構成され、該識別情報が該少なくとも一つのスケジューリング情報内の有効なスケジューリング情報を識別することに用いられ、該第二の受信モジュール４２０は具体的に該有効なスケジューリング情報に基づいて該有効なスケジューリング情報に対応する専用システム情報を受信するように構成される。
【０１５５】
一つの選択可能な実施例として、該装置４００はさらに該ネットワーク装置から送信された該システム情報のスケジューリング情報を受信する前に、該ネットワーク装置へ第一の専用システム情報をリクエストするためのリクエストメッセージを送信するように構成される送信モジュールを備え、該第一の受信モジュール４１０は具体的に、該ネットワーク装置が該リクエストメッセージに基づいて送信した該第一の専用システム情報のスケジューリング情報を受信するように構成される。
【０１５６】
理解すべきものとして、ここでの装置４００は機能モジュールの形態で具現化される。ここでの用語「モジュール」はＡＳＩＣ、電子回路、一つ又は複数のソフトウェア又はファームウェアプログラムを実行するためのプロセッサ（例えば共有プロセッサ、プロプライエタリプロセッサ又はグループプロセッサなど）とメモリ、組み合わせ論理回路及び／又は説明される機能をサポートする他の適切な部材であってもよい。一つの選択可能な例では、当業者は、装置４００が具体的に上記実施例における端末装置であってもよく、装置４００が上記方法の実施例における、端末装置に対応する各プロセス及び／又はステップを実行することに用いられてもよいことを理解でき、繰り返しを回避するために、ここで説明を省略する。
【０１５７】
図６は本出願の実施例による情報を伝送するためのシステム５００の概略構造ブロック図である。該通信システム５００は装置３００と装置４００を備え、選択可能に、該装置４００は一つ又は複数であってもよい。
【０１５８】
図７は本発明の実施例によるデータを伝送するための装置６００の概略図である。例えば、該装置６００はネットワーク装置であってもよく、該装置６００は受信機６１０、プロセッサ６２０、送信機６３０、メモリ６４０とバスシステム６５０を備える。ここで、受信機６１０、プロセッサ６２０、送信機６３０とメモリ６４０がバスシステム６５０を介して接続され、該メモリ６４０が命令を記憶することに用いられ、該プロセッサ６２０が該メモリ６４０に記憶された命令を実行し、信号を受信するように該受信機６１０を制御し、命令を送信するように該送信機６３０を制御することに用いられる。
【０１５９】
ここで、送信機６３０はシステム情報のスケジューリング情報を送信するように構成され、該送信機６３０はさらに該スケジューリング情報に基づいて該システム情報を送信するように構成される。
【０１６０】
一つの選択可能な実施例として、該送信機６３０はさらに該システム情報のスケジューリング情報を送信する前に、第一の指示情報を送信するように構成され、該第一の指示情報が該装置６００にサポートされる専用システム情報、及び／又は該装置６００にサポートされる共通システム情報を示すことに用いられる。
【０１６１】
一つの選択可能な実施例として、該送信機６３０はさらに該スケジューリング情報に基づいて該システム情報をスケジューリングする前に、第二の指示情報を送信するように構成され、該第二の指示情報がシステム情報の送信方式を示すことに用いられる。
【０１６２】
一つの選択可能な実施例として、該システム情報は専用システム情報及び／又は共通システム情報を含み、該第二の指示情報は専用システム情報の送信方式がスケジューリング送信方式であることを示すことに用いられ、及び／又は該第二の指示情報は共通システム情報の送信方式がスケジューリング送信方式又は固定リソース位置に基づく送信方式であることを示すことに用いられる。
【０１６３】
一つの選択可能な実施例として、該システム情報は共通システム情報を含み、該システム情報のスケジューリング情報は該共通システム情報に占有された時間周波数リソース、該共通システム情報の送信周期、該共通システム情報の変調符号化方式と該共通システム情報の送信周期の有効時間のうちの少なくとも一つを含む。
【０１６４】
一つの選択可能な実施例として、該システム情報が専用システム情報を含み、該システム情報のスケジューリング情報が該専用システム情報の時間周波数リソース情報、該専用システム情報の変調符号化方式、該専用システム情報の周期情報、該専用システム情報の周期の有効時間、該専用システム情報のモード情報と該専用システム情報のモードの有効時間のうちの少なくとも一つを含む。
【０１６５】
一つの選択可能な実施例として、該システム情報は専用システム情報を含み、該送信機６３０は具体的に共通システム情報によって該専用システム情報のスケジューリング情報を送信するように構成される。
【０１６６】
一つの選択可能な実施例として、該システム情報は専用システム情報を含み、該送信機６３０は具体的に第三の指示情報を送信するように構成され、該第三の指示情報が該専用システム情報のスケジューリング情報を示すことに用いられる。
【０１６７】
一つの選択可能な実施例として、該システム情報は専用システム情報を含み、該送信機６３０は具体的に少なくとも一つのスケジューリング情報を送信するように構成され、該少なくとも一つのスケジューリング情報の各スケジューリング情報が少なくとも一つの専用システム情報に対応する。
【０１６８】
一つの選択可能な実施例として、該送信機６３０はさらに該スケジューリング情報に基づいて該システム情報を送信する前に識別情報を送信するように構成され、該識別情報が該少なくとも一つのスケジューリング情報内の有効なスケジューリング情報を識別することに用いられ、該送信機６３０は具体的に該有効なスケジューリング情報に基づいて該有効なスケジューリング情報に対応する専用システム情報を送信するように構成される。
【０１６９】
一つの選択可能な実施例として、該受信機６１０は該システム情報のスケジューリング情報を送信する前に、端末装置から送信された、第一の専用システム情報をリクエストするためのリクエストメッセージを受信するように構成され、該送信機６３０は具体的に該リクエストメッセージに基づいて該第一の専用システム情報のスケジューリング情報を送信するように構成される。
【０１７０】
一つの選択可能な実施例として、該システム情報は専用システム情報を含み、該送信機６３０は具体的に該専用システム情報の送信モードに応じて該専用システム情報を送信するように構成され、該送信モードが一回送信モード、複数回非周期的送信モード又は周期的送信モードを含む。
【０１７１】
一つの選択可能な実施例として、該送信機６３０は具体的に該システム情報のスケジューリング情報をユニキャスト、マルチキャスト又はブロードキャストで送信するように構成される。
【０１７２】
一つの選択可能な実施例として、該送信機６３０は具体的に該スケジューリング情報に基づいて該システム情報をユニキャスト、マルチキャスト又はブロードキャストするように構成される。
【０１７３】
理解すべきものとして、装置６００は具体的に上記実施例におけるネットワーク装置であってもよく、そして上記方法の実施例におけるネットワーク装置に対応する各プロセス及び／又はプロセスを実行することに用いられてもよい。選択可能に、該メモリ６４０は読み取り専用メモリとランダムアクセスメモリを含み、プロセッサへ命令とデータを提供することができる。メモリの一部はさらに不揮発性ランダムアクセスメモリを含むことができる。例えば、メモリはさらに装置タイプの情報を記憶することができる。該プロセッサ６２０はメモリに記憶された命令を実行することに用いられてもよく、そして該プロセッサが該命令を実行する場合、該プロセッサは上記方法の実施例における第一のプライマリネットワーク装置に対応する各ステップを実行することができる。
【０１７４】
図８は本出願の実施例による情報伝送装置７００の概略図である。例えば該装置７００は端末装置であってもよく、該装置７００は受信機７１０、プロセッサ７２０、送信機７３０、メモリ７４０とバスシステム７５０を備える。ここで、受信機７１０、プロセッサ７２０、送信機７３０とメモリ７４０がバスシステム７５０を介して接続され、該メモリ７４０が命令を記憶することに用いられ、該プロセッサ７２０が該メモリ７４０に記憶された命令を実行し、信号を受信するように該受信機７１０を制御し、命令を送信するように該送信機７３０を制御することに用いられる。
【０１７５】
ここで、受信機７１０はネットワーク装置から送信されたシステム情報のスケジューリング情報を受信するように構成され、受信機７１０はさらに該スケジューリング情報に基づいて該ネットワーク装置から送信された該システム情報を受信するように構成される。
【０１７６】
一つの選択可能な実施例として、該受信機７１０はさらに該ネットワーク装置から送信されたシステム情報のスケジューリング情報を受信する前に、該ネットワーク装置から送信された第一の指示情報を受信するように構成され、該第一の指示情報が該ネットワーク装置にサポートされる専用システム情報、及び／又は該ネットワーク装置にサポートされる共通システム情報を示すことに用いられる。
【０１７７】
一つの選択可能な実施例として、該受信機７１０は具体的に該スケジューリング情報に基づいて該ネットワーク装置から送信された該システム情報を受信する前に、がネットワーク装置から送信された第二の指示情報を受信するように構成され、該第二の指示情報がシステム情報の送信方式を示すことに用いられる。
【０１７８】
一つの選択可能な実施例として、該システム情報は専用システム情報及び／又は共通システム情報を含み、該第二の指示情報は専用システム情報の送信方式がスケジューリング送信方式であることを示すことに用いられ、及び／又は該第二の指示情報は共通システム情報の送信方式がスケジューリング送信方式又は固定リソース位置に基づく送信方式であることを示すことに用いられる。
【０１７９】
一つの選択可能な実施例として、該システム情報は共通システム情報を含み、該システム情報のスケジューリング情報は該共通システム情報に占有された時間周波数リソース、該共通システム情報の送信周期、該共通システム情報の変調符号化方式と該共通システム情報の送信周期の有効時間のうちの少なくとも一つを含む。
【０１８０】
一つの選択可能な実施例として、該システム情報は専用システム情報を含み、該システム情報のスケジューリング情報は該専用システム情報の時間周波数リソース情報、該専用システム情報の変調符号化方式、該専用システム情報の周期情報、該専用システム情報の周期の有効時間、該専用システム情報のモード情報と該専用システム情報のモードの有効時間のうちの少なくとも一つを含む。
【０１８１】
一つの選択可能な実施例として、該システム情報は専用システム情報を含み、該受信機７１０は具体的に該ネットワーク装置がシステム情報によって送信した該専用システム情報のスケジューリング情報を受信するように構成される。
【０１８２】
一つの選択可能な実施例として、該システム情報は専用システム情報を含み、該受信機７１０は具体的にネットワーク装置から送信された第三の指示情報を受信するように構成され、該第三の指示情報が該専用システム情報のスケジューリング情報を示すことに用いられる。
【０１８３】
一つの選択可能な実施例として、該システム情報が専用システム情報を含み、該受信機７１０が具体的に該ネットワーク装置から送信された少なくとも一つのスケジューリング情報を受信するように構成され、該少なくとも一つのスケジューリング情報の各スケジューリング情報が少なくとも一つの専用システム情報に対応する。
【０１８４】
一つの選択可能な実施例として、該受信機７１０は具体的に該ネットワーク装置から送信されたシステム情報を受信する前に、該ネットワーク装置から送信された識別情報を受信するように構成され、該識別情報が該少なくとも一つのスケジューリング情報内の有効なスケジューリング情報を識別することに用いられる。
【０１８５】
一つの選択可能な実施例として、該送信機７３０は該ネットワーク装置から送信されたシステム情報のスケジューリング情報を受信する前に、該ネットワーク装置へ第一の専用システム情報をリクエストするためのリクエストメッセージを送信するように構成され、該受信機７１０は具体的に該ネットワーク装置が該リクエストメッセージに基づいて送信した該第一の専用システム情報のスケジューリング情報を受信するように構成される。
【０１８６】
理解すべきものとして、装置７００は具体的に上記実施例における端末装置であってもよく、そして上記方法の実施例における端末装置に対応する各ステップ及び／又はプロセスを実行することに用いられてもよい。選択可能に、該メモリ７４０は読み取り専用メモリとランダムアクセスメモリを含み、プロセッサへ命令とデータを提供することができる。メモリの一部はさらに不揮発性ランダムアクセスメモリを含むことができる。例えば、メモリはさらに装置タイプの情報を記憶することができる。該プロセッサ７２０はメモリに記憶された命令を実行することに用いられてもよく、そして該プロセッサが該命令を実行する場合、該プロセッサは上記方法の実施例における端末装置に対応する各ステップを実行することができる。
【０１８７】
理解すべきものとして、本出願の実施例では、プロセッサ６２０とプロセッサ７２０は中央処理ユニット（ＣＰＵ：Ｃｅｎｔｒａｌ  Ｐｒｏｃｅｓｓｉｎｇ  Ｕｎｉｔ）であってもよく、プロセッサは他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０１８８】
理解すべきものとして、本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０１８９】
本出願の様々な実施例では、上記の各プロセスの番号の大きさが実行順序を意味せず、各プロセスの実行順序はその機能と内部ロジックによって確定されるべきであり、本発明の実施例の実施プロセスのいかなる限定を構成すべきではないと理解すべきである。
【０１９０】
当業者であれば、本明細書に開示される実施例と組み合わせて説明された各例のユニット及びアルゴリズムステップは、電子ハードウェア、又はコンピュータソフトウェアと電子ハードウェアとの組み合わせで実現されてもよいと理解できる。これらの機能がハードウェア又はソフトウェアで実行されるかどうかは技術的解決策の特定アプリケーションと設計制約条件に依存する。専門技術者は各特定のアプリケーションに対して異なる方法を使用して説明された機能を実現することができるが、このような実現は本発明の範囲を超えていると考えられるべきではない。
【０１９１】
当業者は便利且つ簡潔で説明するために、上述したシステム、装置とユニットの具体的な動作プロセスについて上記方法の実施例における対応するプロセスを参照でき、ここでは説明を省略することを明確に理解することができる。
【０１９２】
本出願が提供するいくつかの実施例では、開示されるシステム、装置及び方法は他の方式により実現されてもよいと理解すべきである。例えば、上述した装置の実施例は例示的なものだけであり、例えば、前記ユニットの区分はロジック機能的区分だけであり、実際に実施する時に他の区分方式もあり得て、例えば複数のユニット又は部材は組み合わせられてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１９３】
分離部材として説明された前記ユニットは物理的に分離するものであってもよく又は物理的に分離するものでなくてもよく、ユニットとして表示された部材は物理的ユニットであってもよく又は物理的ユニットでなくてもよく、すなわち一つの箇所に位置してもよく、又は複数のネットワークユニットに分布してもよい。実際のニーズに応じてその中の一部又は全てのユニットを選択して本実施例の解決策の目的を達成することができる。
【０１９４】
また、本発明の各実施例における各機能ユニットは一つの処理ユニットに統合されてもよく、個々のユニットは単独で物理的に存在してもよく、２つ又は２つ以上のユニットは一つのユニットに統合されてもよい。
【０１９５】
前記機能はソフトウェア機能ユニットの形態で実現され且つ独立した製品として販売又は使用される場合、一つのコンピュータ可読記憶媒体に格納されてもよい。このような理解に基づき、本出願の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一つのコンピュータ装置（パーソナルコンピュータ、サーバ、又はネットワーク装置などあってもよい）に本発明の各実施例に記載の方法の全部又は一部のステップを実行させるためのいくつかの命令を含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１９６】
以上は、本発明の具体的な実施形態だけであり、本発明の保護範囲はこれに制限されず、当業者が本発明に開示された技術範囲内で容易に想到し得る変化又は入れ替わりが全て本発明の保護範囲以内に含まれるべきである。したがって、本発明の保護範囲は特許請求の範囲に準拠するべきである。
【図１】
2019525512.tif 000003
【図２】
2019525512.tif 000004
【図３】
2019525512.tif 000005
【図４】
2019525512.tif 000006
【図５】
2019525512.tif 000007
【図６】
2019525512.tif 000008
【図７】
2019525512.tif 000009
【図８】
2019525512.tif 000010
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
情報伝送方法であって、
ネットワーク装置がシステム情報のスケジューリング情報を送信することと、
前記ネットワーク装置が前記スケジューリング情報に基づいて前記システム情報を送信することとを含む、前記情報伝送方法。
【請求項２】
前記ネットワーク装置がシステム情報のスケジューリング情報を送信する前に、前記方法はさらに、
前記ネットワーク装置が第一の指示情報を送信し、前記第一の指示情報が前記ネットワーク装置にサポートされる専用システム情報、及び／又は前記ネットワーク装置にサポートされる共通システム情報を示すことに用いられることを含み、
前記ネットワーク装置が前記スケジューリング情報に基づいて前記システム情報を送信する前に、前記方法はさらに、
前記ネットワーク装置が第二の指示情報を送信し、前記第二の指示情報がシステム情報の送信方式を示すことに用いられることを含むことを特徴とする
請求項１に記載の方法。
【請求項３】
情報伝送方法であって、
端末装置がネットワーク装置から送信されたシステム情報のスケジューリング情報を受信することと、
前記端末装置が前記スケジューリング情報に基づいて前記ネットワーク装置から送信された前記システム情報を受信することとを含む、前記情報伝送方法。
【請求項４】
前記端末装置がネットワーク装置から送信されたシステム情報のスケジューリング情報を受信する前に、前記方法はさらに、
前記端末装置が前記ネットワーク装置から送信された第一の指示情報を受信し、前記第一の指示情報が前記ネットワーク装置にサポートされる専用システム情報、及び／又は前記ネットワーク装置にサポートされる共通システム情報を示すことに用いられることを含むことを特徴とする
請求項３に記載の方法。
【請求項５】
前記端末装置が前記スケジューリング情報に基づいて前記ネットワーク装置から送信された前記システム情報を受信する前に、前記方法はさらに、
前記端末装置がネットワーク装置から送信された第二の指示情報を受信し、前記第二の指示情報がシステム情報の送信方式を示すことに用いられることを含むことを特徴とする
請求項３又は４に記載の方法。
【請求項６】
前記システム情報は専用システム情報及び／又は共通システム情報を含み、前記第二の指示情報は専用システム情報の送信方式がスケジューリング送信方式であることを示すことに用いられ、及び／又は前記第二の指示情報は共通システム情報の送信方式がスケジューリング送信方式又は固定リソース位置に基づく送信方式であることを示すことに用いられることを特徴とする
請求項３−５のいずれか一項に記載の方法。
【請求項７】
前記システム情報は共通システム情報を含み、前記システム情報のスケジューリング情報は、
前記共通システム情報に占有された時間周波数リソース、前記共通システム情報の送信周期、前記共通システム情報の変調符号化方式と前記共通システム情報の送信周期の有効時間のうちの少なくとも一つを含むことを特徴とする
請求項３−６のいずれか一項に記載の方法。
【請求項８】
前記システム情報は専用システム情報を含み、前記システム情報のスケジューリング情報は、
前記専用システム情報の時間周波数リソース情報、前記専用システム情報の変調符号化方式、前記専用システム情報の周期情報、前記専用システム情報の周期の有効時間、前記専用システム情報のモード情報と前記専用システム情報のモードの有効時間のうちの少なくとも一つを含むことを特徴とする
請求項３−７のいずれか一項に記載の方法。
【請求項９】
前記システム情報は専用システム情報を含み、前記端末装置がネットワーク装置から送信されたシステム情報のスケジューリング情報を受信することは、
前記端末装置が、前記ネットワーク装置がシステム情報によって送信した前記専用システム情報のスケジューリング情報を受信することを含むことを特徴とする
請求項３−８のいずれか一項に記載の方法。
【請求項１０】
前記システム情報は専用システム情報を含み、前記端末装置がネットワーク装置から送信されたシステム情報のスケジューリング情報を受信することは、
前記端末装置がネットワーク装置から送信された第三の指示情報を受信し、前記第三の指示情報が前記専用システム情報のスケジューリング情報を示すことに用いられることを含むことを特徴とする
請求項３−８のいずれか一項に記載の方法。
【請求項１１】
前記システム情報は専用システム情報を含み、前記端末装置がネットワーク装置から送信されたシステム情報のスケジューリング情報を受信することは、
前記端末装置がネットワーク装置から送信された少なくとも一つのスケジューリング情報を受信し、前記少なくとも一つのスケジューリング情報の各スケジューリング情報が少なくとも一つの専用システム情報に対応することを含むことを特徴とする
請求項３−１０のいずれか一項に記載の方法。
【請求項１２】
前記端末装置が前記ネットワーク装置から送信されたシステム情報を受信する前に、前記方法はさらに、
前記端末装置が前記ネットワーク装置から送信された識別情報を受信し、前記識別情報が前記少なくとも一つのスケジューリング情報内の有効なスケジューリング情報を識別することに用いられることを含み、
ここで、前記端末装置が前記スケジューリング情報に基づいて前記ネットワーク装置から送信された前記システム情報を受信することは、
前記端末装置が前記有効なスケジューリング情報に基づいて専用システム情報を受信することを含むことを特徴とする
請求項１１に記載の方法。
【請求項１３】
前記端末装置がネットワーク装置から送信されたシステム情報のスケジューリング情報を受信する前に、前記方法はさらに、
前記端末装置が前記ネットワーク装置へ第一の専用システム情報をリクエストするためのリクエストメッセージを送信することを含み、
ここで、前記端末装置がシステム情報のスケジューリング情報を受信することは、
前記端末装置が、前記ネットワーク装置が前記リクエストメッセージに基づいて送信した前記第一の専用システム情報のスケジューリング情報を受信することを含むことを特徴とする
請求項３−１２のいずれか一項に記載の方法。
【請求項１４】
情報伝送装置であって、
命令が記憶されるメモリと、
請求項１又は２に記載の方法を実施するように、前記命令を実行するように構成されるプロセッサと、を含む、
前記情報伝送装置。
【請求項１５】
情報伝送装置であって、
命令が記憶されるメモリと、
請求項３〜１３のいずれか一項に記載の方法を実施するように、前記命令を実行するように構成されるプロセッサと、を含む、
前記情報伝送装置。
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
情報伝送方法であって、
ネットワーク装置がシステム情報のスケジューリング情報を送信することと、
前記ネットワーク装置が前記スケジューリング情報に基づいて前記システム情報を送信することとを含む、前記情報伝送方法。
【請求項２】
前記ネットワーク装置がシステム情報のスケジューリング情報を送信する前に、前記方法はさらに、
前記ネットワーク装置が第一の指示情報を送信し、前記第一の指示情報が前記ネットワーク装置にサポートされる専用システム情報、及び／又は前記ネットワーク装置にサポートされる共通システム情報を示すことに用いられることを含むことを特徴とする
請求項１に記載の方法。
【請求項３】
前記システム情報は共通システム情報を含み、前記システム情報のスケジューリング情報は、
前記共通システム情報に占有された時間周波数リソース、前記共通システム情報の送信周期、前記共通システム情報の変調符号化方式と前記共通システム情報の送信周期の有効時間のうちの少なくとも一つを含むことを特徴とする
請求項１又は２に記載の方法。
【請求項４】
前記システム情報は専用システム情報を含み、前記システム情報のスケジューリング情報は、
前記専用システム情報の時間周波数リソース情報、前記専用システム情報の変調符号化方式、前記専用システム情報の周期情報、前記専用システム情報の周期の有効時間、前記専用システム情報のモード情報と前記専用システム情報のモードの有効時間のうちの少なくとも一つを含むことを特徴とする
請求項１−３のいずれか一項に記載の方法。
【請求項５】
前記システム情報は専用システム情報を含み、前記ネットワーク装置がシステム情報のスケジューリング情報を送信することは、
前記ネットワーク装置が少なくとも一つのスケジューリング情報を送信し、前記少なくとも一つのスケジューリング情報の各スケジューリング情報が少なくとも一つの専用システム情報に対応することを含むことを特徴とする
請求項１−４のいずれか一項に記載の方法。
【請求項６】
前記ネットワーク装置が前記スケジューリング情報に基づいて前記システム情報を送信する前に、前記方法はさらに、
前記ネットワーク装置が識別情報を送信し、前記識別情報が前記少なくとも一つのスケジューリング情報内の有効なスケジューリング情報を識別することに用いられることを含み、
ここで、前記ネットワーク装置が前記スケジューリング情報に基づいて前記システム情報を送信することは、
前記ネットワーク装置が前記有効なスケジューリング情報に基づいて前記有効なスケジューリング情報に対応する専用システム情報を送信することを含むことを特徴とする
請求項５に記載の方法。
【請求項７】
専用システム情報は、端末装置の使用する必要なシステム情報、又は、あるタイプの端末装置の必要なシステム情報、又は、ある特定サービスに必要なシステム情報を含む、
請求項２に記載の方法。
【請求項８】
前記システム情報は専用システム情報を含み、前記ネットワーク装置が前記スケジューリング情報に基づいて前記システム情報を送信することは、
前記ネットワーク装置が前記専用システム情報の送信モードに応じて前記専用システム情報を送信することを含み、前記送信モードが一回送信モード、複数回非周期的送信モード又は周期的送信モードを含むことを特徴とする
請求項１−７のいずれか一項に記載の方法。
【請求項９】
前記ネットワーク装置がシステム情報のスケジューリング情報を送信することは、
前記ネットワーク装置が前記システム情報のスケジューリング情報をユニキャスト、マルチキャスト又はブロードキャストで送信することを含むことを特徴とする
請求項１−８のいずれか一項に記載の方法。
【請求項１０】
情報伝送方法であって、
端末装置がネットワーク装置から送信されたシステム情報のスケジューリング情報を受信することと、
前記端末装置が前記スケジューリング情報に基づいて前記ネットワーク装置から送信された前記システム情報を受信することとを含む、前記情報伝送方法。
【請求項１１】
前記端末装置がネットワーク装置から送信されたシステム情報のスケジューリング情報を受信する前に、前記方法はさらに、
前記端末装置が前記ネットワーク装置から送信された第一の指示情報を受信し、前記第一の指示情報が前記ネットワーク装置にサポートされる専用システム情報、及び／又は前記ネットワーク装置にサポートされる共通システム情報を示すことに用いられることを含むことを特徴とする
請求項１０に記載の方法。
【請求項１２】
前記システム情報は共通システム情報を含み、前記システム情報のスケジューリング情報は、
前記共通システム情報に占有された時間周波数リソース、前記共通システム情報の送信周期、前記共通システム情報の変調符号化方式と前記共通システム情報の送信周期の有効時間のうちの少なくとも一つを含むことを特徴とする
請求項１０又は１１に記載の方法。
【請求項１３】
前記システム情報は専用システム情報を含み、前記システム情報のスケジューリング情報は、
前記専用システム情報の時間周波数リソース情報、前記専用システム情報の変調符号化方式、前記専用システム情報の周期情報、前記専用システム情報の周期の有効時間、前記専用システム情報のモード情報と前記専用システム情報のモードの有効時間のうちの少なくとも一つを含むことを特徴とする
請求項１０−１２のいずれか一項に記載の方法。
【請求項１４】
前記システム情報は専用システム情報を含み、前記端末装置がネットワーク装置から送信されたシステム情報のスケジューリング情報を受信することは、
前記端末装置がネットワーク装置から送信された少なくとも一つのスケジューリング情報を受信し、前記少なくとも一つのスケジューリング情報の各スケジューリング情報が少なくとも一つの専用システム情報に対応することを含むことを特徴とする
請求項１０−１３のいずれか一項に記載の方法。
【請求項１５】
前記端末装置が前記ネットワーク装置から送信されたシステム情報を受信する前に、前記方法はさらに、
前記端末装置が前記ネットワーク装置から送信された識別情報を受信し、前記識別情報が前記少なくとも一つのスケジューリング情報内の有効なスケジューリング情報を識別することに用いられることを含み、
ここで、前記端末装置が前記スケジューリング情報に基づいて前記ネットワーク装置から送信された前記システム情報を受信することは、
前記端末装置が前記有効なスケジューリング情報に基づいて前記有効なスケジューリング情報に対応する専用システム情報を受信することを含むことを特徴とする
請求項１４に記載の方法。
【請求項１６】
専用システム情報は、端末装置の使用する必要なシステム情報、又は、あるタイプの端末装置の必要なシステム情報、又は、ある特定サービスに必要なシステム情報を含む、
請求項１１に記載の方法。
【請求項１７】
情報伝送装置であって、
送信機と、
命令が記憶されるメモリと、
前記命令を実行して、請求項１−９のいずれか一項に記載の方法を実施するように、前記送信機を制御するように構成されるプロセッサと、を含む、
前記情報伝送装置。
【請求項１８】
前記情報伝送装置は受信機をさらに含み、前記プロセッサは、端末装置からの信号を受信するように、前記受信機を制御するようにさらに構成される、
請求項１７に記載の装置。
【請求項１９】
情報伝送装置であって、
受信機と、
命令が記憶されるメモリと、
前記命令を実行し、請求項１０〜１６のいずれか一項に記載の方法を実施するように、前記受信機を制御するように構成されるプロセッサと、を含む、
前記情報伝送装置。
【請求項２０】
前記情報伝送装置は送信機をさらに含み、前記プロセッサは、ネットワーク装置へ命令を送信するように、前記送信機を制御するようにさらに構成される、
請求項１９に記載の装置。
【国際調査報告】
2019525512.tif 000011
2019525512.tif 000012
2019525512.tif 000013
2019525512.tif 000014